(57)【特許請求の範囲】
【請求項１】
デバイスでの、基地局に対する受信時間を決定することと、
前記デバイスによって、前記基地局に対する時間オフセットを取得することと、
前記基地局に対する前記受信時間および前記時間オフセットに基づいて、前記デバイスの送信時間を設定することと、
前記デバイスの前記送信時間に基づいて信号を送信することと、
を備え、前記信号は、第２の基地局に対する第２の時間オフセットに基づいて設定された送信時間をもつ第２のデバイスによって送信される第２の信号と同期し、前記基地局と前記第２の基地局は、非同期である、ワイヤレス通信のための方法。
【請求項２】
前記時間オフセットを前記取得することは、ネットワークエンティティから前記時間オフセットを受信することを備える、
請求項１に記載の方法。
【請求項３】
前記時間オフセットは、基準時間に基づいて決定される、請求項１に記載の方法。
【請求項４】
前記時間オフセットは、複数の基地局に対する到達時間差（ＴＤＯＡ）測定値に基づいて決定される、
請求項１に記載の方法。
【請求項５】
前記基地局と前記デバイスとの間の伝播遅延を決定することをさらに備え、前記デバイスの前記送信時間は、前記伝播遅延にさらに基づいて設定される、
請求項１に記載の方法。
【請求項６】
前記基地局に対する前記時間オフセットは、ゼロであり、前記第２の基地局に対する前記第２の時間オフセットは、非ゼロであり、前記デバイスおよび前記第２のデバイスは、前記基地局に同期される、
請求項１に記載の方法。
【請求項７】
前記基地局に対する前記時間オフセットおよび前記第２の基地局に対する前記第２の時間オフセットは、基準時間に基づいて決定され、前記デバイスおよび前記第２のデバイスは、前記基準時間に同期される、
請求項１に記載の方法。
【請求項８】
前記デバイスの前記送信時間に基づいて信号を送信することをさらに備え、第２のデバイスは、前記デバイスによって送信される前記信号に基づいて、前記デバイスに同期される、
請求項１に記載の方法。
【請求項９】
前記デバイスによって協定世界時（ＵＴＣ）時間を決定することと、
前記ＵＴＣ時間および前記基地局に対する前記時間オフセットに基づいて、前記基地局の無線フレーム境界を決定することと
をさらに備える、請求項１に記載の方法。
【請求項１０】
前記デバイスでの、前記基地局のキャリア周波数を決定することと、
前記デバイスによって、前記基地局に対する周波数オフセットを取得することと、
前記基地局の前記キャリア周波数および前記基地局に対する前記周波数オフセットに基づいて、前記デバイスのキャリア周波数を設定することと
をさらに備える、請求項１に記載の方法。
【請求項１１】
前記基地局は、マクロ基地局であり、前記デバイスは、ホーム基地局、またはユーザ機器（ＵＥ）、または中継器である、
請求項１に記載の方法。
【請求項１２】
デバイスでの、基地局に対する受信時間を決定するための手段と、
前記デバイスによって、前記基地局に対する時間オフセットを取得するための手段と、  前記基地局に対する前記受信時間および前記時間オフセットに基づいて、前記デバイスの送信時間を設定するための手段と、
前記デバイスの前記送信時間に基づいて信号を送信するための手段と
を備え、前記信号は、第２の基地局に対する第２の時間オフセットに基づいて設定された送信時間をもつ第２のデバイスによって送信される第２の信号と同期し、前記基地局と前記第２の基地局は、非同期である、ワイヤレス通信のための装置。
【請求項１３】
前記基地局と前記デバイスとの間の伝播遅延を決定するための手段をさらに備え、前記デバイスの前記送信時間は、前記伝播遅延にさらに基づいて設定される、
請求項１２に記載の装置。
【請求項１４】
前記デバイスの前記送信時間に基づいて、信号を送信するための手段をさらに備え、第２のデバイスは、前記デバイスによって送信される前記信号に基づいて、前記デバイスに同期される、
請求項１２に記載の装置。
【請求項１５】
デバイスでの、基地局に対する受信時間を決定し、前記デバイスによって、前記基地局に対する時間オフセットを取得し、前記基地局に対する前記受信時間および前記時間オフセットに基づいて前記デバイスの送信時間を設定し、前記デバイスの前記送信時間に基づいて信号を送信するように構成された少なくとも１つのプロセッサを備え、前記信号が、第２の基地局に対する第２の時間オフセットに基づいて設定された送信時間をもつ第２のデバイスによって送信される第２の信号と同期し、前記基地局と前記第２の基地局が非同期である、ワイヤレス通信のための装置。
【請求項１６】
前記少なくとも１つのプロセッサは、前記基地局と前記デバイスとの間の伝播遅延を決定し、前記伝播遅延にさらに基づいて、前記デバイスの前記送信時間を設定するように構成される、
請求項１５に記載の装置。
【請求項１７】
前記少なくとも１つのプロセッサは、前記デバイスの前記送信時間に基づいて信号を送信するように構成され、第２のデバイスは、前記デバイスによって送信される前記信号に基づいて、前記デバイスに同期される、
請求項１５に記載の装置。
【請求項１８】
少なくとも１つのコンピュータに、デバイスでの、基地局に対する受信時間を決定させるコードと、
前記少なくとも１つのコンピュータに、前記デバイスによって、前記基地局に対する時間オフセットを取得させるコードと、
前記少なくとも１つのコンピュータに、前記基地局に対する前記受信時間および前記時間オフセットに基づいて前記デバイスの送信時間を設定させるコードと、
前記少なくとも１つのコンピュータに、前記デバイスの前記送信時間に基づいて信号を送信させるコードと
を備え、前記信号は、第２の基地局に対する第２の時間オフセットに基づいて設定された送信時間をもつ第２のデバイスによって送信される第２の信号と同期し、前記基地局と前記第２の基地局は、非同期であるコンピュータプログラム。
【請求項１９】
デバイスによって、少なくとも１つの基地局に関する時間差情報を決定することと、
前記少なくとも１つの基地局に対する少なくとも１つの時間オフセットを決定するのに使うために、前記時間差情報をネットワークエンティティに送ることと、
前記少なくとも１つの時間オフセットに一部基づいて信号を送信することと
を備え、前記信号は、第２の基地局に対する第２の時間オフセットに基づいて設定された送信時間をもつ第２のデバイスによって送信される第２の信号と同期し、前記基地局と前記第２の基地局は、非同期である、ワイヤレス通信のための方法。
【請求項２０】
前記少なくとも１つの基地局に関する前記時間差情報を前記決定することは、
前記デバイスでの、基地局に対する受信時間を決定することと、
前記基地局に対する前記受信時間および基準時間に基づいて、前記基地局に対する時間オフセットを決定することと
を備え、前記時間差情報は、前記基地局に対する前記時間オフセットを備える、
請求項１９に記載の方法。
【請求項２１】
前記基準時間は、協定世界時（ＵＴＣ）に基づく、
請求項２０に記載の方法。
【請求項２２】
前記基準時間は、全地球航法衛星システム（ＧＮＳＳ）に基づく、
請求項２０に記載の方法。
【請求項２３】
前記基地局と前記デバイスとの間の伝播遅延を決定することをさらに備え、前記基地局に対する前記時間オフセットは、前記伝播遅延にさらに基づいて決定される、
請求項２０に記載の方法。
【請求項２４】
前記少なくとも１つの基地局に関する前記時間差情報を前記決定することは、
前記デバイスでの、第１の基地局に対する第１の受信時間を決定することと、
前記デバイスでの、第２の基地局に対する第２の受信時間を決定することと、
前記第１の基地局に対する前記第１の受信時間および前記第２の基地局に対する前記第２の受信時間に基づいて、前記第１および第２の基地局に関する到達時間差（ＴＤＯＡ）測定値を決定することと
を備え、前記時間差情報は、前記ＴＤＯＡ測定値を備える、
請求項１９に記載の方法。
【請求項２５】
前記少なくとも１つの基地局に関する前記時間差情報を前記決定することは、
前記第１の基地局に対する第１の時間オフセットを取得することと、
前記第２の基地局に対する第２の時間オフセットを取得することと、
前記第１および第２の時間オフセットにさらに基づいて、前記第１および第２の基地局に関する前記ＴＤＯＡ測定値を決定することと
をさらに備える、請求項２４に記載の方法。
【請求項２６】
前記デバイスによって、前記少なくとも１つの基地局に関する周波数差情報を決定することと、
前記周波数差情報を、前記少なくとも１つの基地局に対する少なくとも１つの周波数オフセットを決定するのに使うために、前記ネットワークエンティティに送ることと
をさらに備える、請求項１９に記載の方法。
【請求項２７】
前記少なくとも１つの基地局に関する前記周波数差情報を前記決定することは、
前記デバイスでの、基地局のキャリア周波数を決定することと、
前記基地局の前記キャリア周波数および基準周波数に基づいて、前記基地局に対する周波数オフセットを決定することと
を備え、前記周波数差情報は、前記基地局に対する前記周波数オフセットを備える、請求項２６に記載の方法。
【請求項２８】
前記少なくとも１つの基地局によって送信される少なくとも１つの信号を、第１の無線技術に基づいて受信することと、ここにおいて、前記少なくとも１つの基地局に関する前記時間差情報は、前記少なくとも１つの受信信号に基づいて決定される、
前記第１の無線技術とは異なる第２の無線技術に基づいて、第２のデバイスと通信することと
をさらに備える、請求項１９に記載の方法。
【請求項２９】
前記少なくとも１つの基地局それぞれは、マクロ基地局であり、前記デバイスは、ホーム基地局、またはユーザ機器（ＵＥ）、または中継器である、
請求項１９に記載の方法。
【請求項３０】
デバイスによって、少なくとも１つの基地局に関する時間差情報を決定するための手段と、
前記時間差情報を、前記少なくとも１つの基地局に対する少なくとも１つの時間オフセットを決定するのに使うために、ネットワークエンティティに送るための手段と、
前記少なくとも１つの時間オフセットに一部基づいて信号を送信するための手段と
を備え、前記信号は、第２の基地局に対する第２の時間オフセットに基づいて設定された送信時間をもつ第２のデバイスによって送信される第２の信号と同期し、前記基地局と前記第２の基地局は、非同期である、ワイヤレス通信のための装置。
【請求項３１】
前記少なくとも１つの基地局に関する前記時間差情報を決定するための前記手段は、
前記デバイスでの、基地局に対する受信時間を決定するための手段と、
前記基地局に対する前記受信時間および基準時間に基づいて、前記基地局に対する時間オフセットを決定するための手段と
を備え、前記時間差情報は、前記基地局に対する前記時間オフセットを備える、
請求項３０に記載の装置。
【請求項３２】
前記少なくとも１つの基地局に関する前記時間差情報を決定するための前記手段は、
前記デバイスでの、第１の基地局に対する第１の受信時間を決定するための手段と、
前記デバイスでの、第２の基地局に対する第２の受信時間を決定するための手段と、
前記第１の基地局に対する前記第１の受信時間および前記第２の基地局に対する前記第２の受信時間に基づいて、前記第１および第２の基地局に関する到達時間差（ＴＤＯＡ）測定値を決定するための手段と
を備え、前記時間差情報は、前記ＴＤＯＡ測定値を備える、
請求項３０に記載の装置。
【請求項３３】
前記少なくとも１つの基地局に関する前記時間差情報を決定するための前記手段は、
前記第１の基地局に対する第１の時間オフセットを取得するための手段と、
前記第２の基地局に対する第２の時間オフセットを取得するための手段と、
前記第１および第２の時間オフセットにさらに基づいて、前記第１および第２の基地局に関する前記ＴＤＯＡ測定値を決定するための手段と
をさらに備える、請求項３２に記載の装置。
【請求項３４】
前記少なくとも１つの基地局によって送信される少なくとも１つの信号を、第１の無線技術に基づいて受信するための手段と、ここにおいて、前記少なくとも１つの基地局に関する前記時間差情報は、前記少なくとも１つの受信信号に基づいて決定される、
前記第１の無線技術とは異なる第２の無線技術に基づいて、第２のデバイスと通信するための手段と
をさらに備える、請求項３０に記載の装置。
【請求項３５】
デバイスによって、少なくとも１つの基地局に関する時間差情報を決定し、前記時間差情報を、前記少なくとも１つの基地局に対する少なくとも１つの時間オフセットを決定するのに使うために、ネットワークエンティティに送り、前記少なくとも１つの時間オフセットに一部基づいて信号を送信するように構成された少なくとも１つのプロセッサを備え、前記信号は、第２の基地局に対する第２の時間オフセットに基づいて設定された送信時間をもつ第２のデバイスによって送信される第２の信号と同期し、前記基地局と前記第２の基地局は、非同期である、ワイヤレス通信のための装置。
【請求項３６】
少なくとも１つのコンピュータに、デバイスによって、少なくとも１つの基地局に関する時間差情報を決定させるコードと、
前記少なくとも１つのコンピュータに、前記少なくとも１つの基地局に対する少なくとも１つの時間オフセットを決定するのに使うために、前記時間差情報をネットワークエンティティに送らせるコードと、
前記少なくとも１つのコンピュータに、前記少なくとも１つの時間オフセットに一部基づいて信号を送信させるコードと
を備え、前記信号は、第２の基地局に対する第２の時間オフセットに基づいて設定された送信時間をもつ第２のデバイスによって送信される第２の信号と同期し、前記基地局と前記第２の基地局は、非同期である、コンピュータプログラム。
【請求項３７】
ネットワークエンティティによって、少なくとも１つの基地局に関する時間差情報を受信することと、
前記少なくとも１つの基地局に関する前記時間差情報に基づいて、前記少なくとも１つの基地局に対する少なくとも１つの時間オフセットを決定することと、
前記少なくとも１つの基地局に対する前記少なくとも１つの時間オフセットを、少なくとも１つのデバイスの信号の送信時間を設定するのに使うために、前記少なくとも１つのデバイスに与えることと
を備え、前記信号は、第２の基地局に対する第２の時間オフセットに基づいて設定された送信時間をもつ第２のデバイスによって送信される第２の信号と同期し、前記基地局と前記第２の基地局は、非同期である、ワイヤレス通信のための方法。
【請求項３８】
前記時間差情報は、前記少なくとも１つの基地局に対する前記少なくとも１つの時間オフセットを備え、１つまたは複数のデバイスから受信される、
請求項３７に記載の方法。
【請求項３９】
前記少なくとも１つの基地局に関する前記時間差情報を前記受信することは、基地局に対する複数の時間オフセットを受信することを備え、前記少なくとも１つの基地局に対する前記少なくとも１つの時間オフセットを前記決定することは、前記複数の時間オフセットの中の最大時間オフセットを、前記基地局に対する時間オフセットとして選択することを備える、
請求項３７に記載の方法。
【請求項４０】
前記少なくとも１つの基地局に関する前記時間差情報が、複数の基地局に関する到達時間差（ＴＤＯＡ）測定値を備える、請求項３７に記載の方法。
【請求項４１】
前記少なくとも１つの基地局に対する前記少なくとも１つの時間オフセットを前記決定することは、前記複数の基地局に関する前記ＴＤＯＡ測定値に基づいて、前記複数の基地局に対する複数の時間オフセットを決定することを備える、
請求項４０に記載の方法。
【請求項４２】
前記複数の時間オフセットを前記決定することが、最小平均二乗誤差（ＭＭＳＥ）計算に基づいて、前記複数の時間オフセットを決定することを備える、請求項４１に記載の方法。
【請求項４３】
前記複数の時間オフセットを前記決定することは、前記複数の基地局の１つに対する時間オフセットをゼロに設定することを備える、
請求項４１に記載の方法。
【請求項４４】
前記複数の時間オフセットを前記決定することは、前記複数の基地局のうち、異なる基地局に対する時間オフセットを、異なる時間間隔中にゼロに設定することを備える、
請求項４１に記載の方法。
【請求項４５】
前記少なくとも１つの基地局に関する前記時間差情報を前記受信することは、基地局のペアに関する複数の到達時間差（ＴＤＯＡ）測定値を受信することを備え、前記少なくとも１つの基地局に対する前記少なくとも１つの時間オフセットを前記決定することは、前記基地局ペアに関する前記複数のＴＤＯＡ測定値の中の最小ＴＤＯＡ測定に基づいて、前記少なくとも１つの時間オフセットを決定することを備える、
請求項３７に記載の方法。
【請求項４６】
前記ネットワークエンティティによって、前記少なくとも１つの基地局に関する周波数差情報を受信することと、
前記少なくとも１つの基地局に関する前記周波数差情報に基づいて、前記少なくとも１つの基地局に対する少なくとも１つの周波数オフセットを決定することと、
１つまたは複数のデバイスのキャリア周波数を設定するのに使うために、前記少なくとも１つの基地局に対する前記少なくとも１つの周波数オフセットを前記１つまたは複数のデバイスに与えることと
をさらに備える、請求項３７に記載の方法。
【請求項４７】
前記ネットワークエンティティは、移動管理エンティティ（ＭＭＥ）、またはＨｅＮＢ管理サーバ（ＨＭＳ）、または運用、管理および保守（ＯＡＭ）サーバ、またはロケーションサーバである、
請求項３７に記載の方法。
【請求項４８】
ネットワークエンティティによって、少なくとも１つの基地局に関する時間差情報を受信するための手段と、
前記少なくとも１つの基地局に関する前記時間差情報に基づいて、前記少なくとも１つの基地局に対する少なくとも１つの時間オフセットを決定するための手段と、
前記少なくとも１つの基地局に対する前記少なくとも１つの時間オフセットを、少なくとも１つのデバイスの信号の送信時間を設定するのに使うために、前記少なくとも１つのデバイスに与えるための手段と
を備え、前記信号は、第２の基地局に対する第２の時間オフセットに基づいて設定された送信時間をもつ第２のデバイスによって送信される第２の信号と同期し、前記基地局と前記第２の基地局は、非同期である、ワイヤレス通信のための装置。
【請求項４９】
前記時間差情報は、前記少なくとも１つの基地局に対する前記少なくとも１つの時間オフセットを備え、１つまたは複数のデバイスから受信される、
請求項４８に記載の装置。
【請求項５０】
前記少なくとも１つの基地局に関する前記時間差情報は、複数の基地局に関する到達時間差（ＴＤＯＡ）測定値を備え、前記少なくとも１つの基地局に対する前記少なくとも１つの時間オフセットを決定するための前記手段は、前記複数の基地局に関する前記ＴＤＯＡ測定値に基づいて、前記複数の基地局に対する複数の時間オフセットを決定するための手段を備える、
請求項４８に記載の装置。
【請求項５１】
ネットワークエンティティによって、少なくとも１つの基地局に関する時間差情報を受信し、前記少なくとも１つの基地局に関する前記時間差情報に基づいて、前記少なくとも１つの基地局に対する少なくとも１つの時間オフセットを決定し、少なくとも１つのデバイスの信号の送信時間を設定するのに使うために、前記少なくとも１つの基地局に対する前記少なくとも１つの時間オフセットを前記少なくとも１つのデバイスに与えるように構成された少なくとも１つのプロセッサを備え、前記信号は、第２の基地局に対する第２の時間オフセットに基づいて設定された送信時間をもつ第２のデバイスによって送信される第２の信号と同期し、前記基地局と前記第２の基地局は、非同期である、ワイヤレス通信のための装置。
【請求項５２】
少なくとも１つのコンピュータに、ネットワークエンティティによって、少なくとも１つの基地局に関する時間差情報を受信させるコードと、
前記少なくとも１つのコンピュータに、前記少なくとも１つの基地局に関する前記時間差情報に基づいて、前記少なくとも１つの基地局に対する少なくとも１つの時間オフセットを決定させるコードと、
前記少なくとも１つのコンピュータに、前記少なくとも１つの基地局に対する前記少なくとも１つの時間オフセットを、少なくとも１つのデバイスの信号の送信時間を設定するのに使うために、前記少なくとも１つのデバイスに与えさせるコードと
を備え、前記信号は、第２の基地局に対する第２の時間オフセットに基づいて設定された送信時間をもつ第２のデバイスによって送信される第２の信号と同期し、前記基地局と前記第２の基地局は、非同期である、コンピュータプログラム。
【発明の詳細な説明】
【関連出願】
【０００１】
本出願は、両方とも本出願の譲受人に譲渡され、参照によって本明細書に組み込まれている、２００９年７月２３日に出願した、「ＳＹＮＣＨＲＯＮＩＺＡＴＩＯＮ  ＵＳＩＮＧ  ＡＳＹＮＣＨＲＯＮＯＵＳ  ＮＯＤＥＢＳ」という名称の米国特許仮出願第６１／２２７，９４６号、および２０１０年１月１５日に出願した、「ＳＹＮＣＨＲＯＮＩＺＡＴＩＯＮ  ＵＳＩＮＧ  ＡＳＹＮＣＨＲＯＮＯＵＳ  ＮＯＤＥＢＳ」という名称の米国特許仮出願第６１／２９５，５９４号に対する優先権を主張する。
【技術分野】
【０００２】
本開示は概して、通信に関し、より詳細には、ワイヤレス通信ネットワークにおける同期のための技法に関する。
【背景技術】
【０００３】
ワイヤレス通信ネットワークは、たとえば音声、ビデオ、パケットデータ、メッセージ通信、ブロードキャストなど、様々な通信コンテンツを提供するために広く展開されている。こうしたワイヤレスネットワークは、利用可能なネットワークリソースを共有することによって、複数のユーザをサポートすることが可能な多重アクセスネットワークであり得る。このような多重アクセスネットワークの例には、符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのデバイスのための通信をサポートし得るいくつかのマクロ基地局を含み得る。デバイスは、ホーム基地局、ユーザ機器（ＵＥ）、中継器などでよい。デバイスは、時間同期されることが望ましい場合がある。時間同期は、デバイスに、（ｉ）そのタイミングを基準時間ソースに直接整合させ、または（ｉｉ）そのタイミングを、マクロ基地局を介して基準時間ソースに間接的に整合させることによって達成することができる。基準時間ソースは、全地球測位システム（ＧＰＳ）などの全地球航法衛星システム（ＧＮＳＳ）でよい。ただし、デバイスは、ＧＮＳＳ能力をもたない場合があり、および／またはＧＮＳＳ信号を受信することが可能でない場合がある（たとえば、屋内での展開により）。さらに、マクロ基地局は、非同期式である場合がある。このようなシナリオにおいても、同期を実施することが望ましいであろう。
【発明の概要】
【０００５】
ワイヤレス通信ネットワーク内のデバイスを同期させるための技法について、本明細書に記載する。デバイスは、ＧＮＳＳ能力および／またはＧＮＳＳカバレージをもたない場合があり、ワイヤレスネットワーク内のマクロ基地局は非同期式である場合がある。それにも関わらず、干渉を軽減し、かつ／または他の恩恵を受けるために、デバイスを同期させることが望ましい場合がある。
【０００６】
ある態様において、デバイスは、その送信時間を、基地局からの時間オフセットに基づいて設定すればよい。ある設計では、デバイスは、デバイスでの、基地局に対する受信時間を決定することができる。デバイスは、基地局に対する時間オフセットを、ネットワークエンティティから取得することができる。デバイスは次いで、その送信時間を、基地局に対する受信時間および時間オフセットに基づいて設定すればよい。時間オフセットは、協定世界時（ＵＴＣ）である基準時間に対して基地局が非同期である度合いを補償し得る。
【０００７】
別の態様では、デバイスは、他のデバイスの同期をサポートするために、１つまたは複数の基地局に関する時間差情報を決定し、送ることができる。ある設計では、時間差情報は、基地局からの時間オフセットを備え得る。デバイスは、デバイスでの、基地局に対する受信時間を決定することができる。デバイスは次いで、基地局に対する受信時間および基準時間（たとえば、ＵＴＣ時間）に基づいて、基地局に対する時間オフセットを決定することができる。別の設計では、時間差情報は、基地局のペアに関する到達時間差（ＴＤＯＡ）測定値を備え得る。デバイスは、デバイスでの、第１の基地局に対する第１の受信時間と、第２の基地局に対する第２の受信時間とを決定することができる。デバイスは、こうした基地局に対する受信時間に基づいて、第１および第２の基地局に関するＴＤＯＡ測定値を決定することができる。複数の基地局に関するＴＤＯＡ測定値を使って、こうした基地局に対する時間オフセットを決定することができる。
【０００８】
さらに別の態様では、ネットワークエンティティは、デバイスの同期をサポートし得る。ネットワークエンティティは、少なくとも１つの基地局に関する時間差情報を受信することができ、時間差情報に基づいて、少なくとも１つの基地局に対する少なくとも１つの時間オフセットを決定することができる。ネットワークエンティティは、少なくとも１つの基地局に対する少なくとも１つの時間オフセットを、各デバイスの送信時間を設定するのに使うために、デバイスに与えることができる。ある設計では、時間差情報は、少なくとも１つの基地局に対する少なくとも１つの時間オフセットを備えてよく、１つまたは複数のデバイスから受信され得る。別の設計では、時間差情報は、複数の基地局に関するＴＤＯＡ測定値を備え得る。ネットワークエンティティは、ＴＤＯＡ測定値に基づいて、複数の基地局に対する複数の時間オフセットを決定することができる。
【０００９】
本開示の様々な態様および特徴を、以降でさらに詳しく記載する。
【図面の簡単な説明】
【００１０】
【図１】ワイヤレス通信ネットワークを示す図。
【図２】２つの基地局に対する受信時間に基づいて２つのデバイスの送信時間を設定する２つのデバイスを示す図。
【図３】デバイスの送信時間を決定するプロセスを示す図。
【図４】デバイスの送信時間を決定する装置を示す図。
【図５】デバイスによる同期をサポートするプロセスを示す図。
【図６】基地局に対する時間オフセットを決定するプロセスを示す図。
【図７】ＴＤＯＡ測定値を決定するプロセスを示す図。
【図８】デバイスによる同期をサポートする装置を示す図。
【図９】ネットワークエンティティによる同期をサポートするプロセスを示す図。
【図１０】ネットワークエンティティによる同期をサポートする装置を示す図。
【図１１】基地局と、デバイスと、同期サーバとを示すブロック図。
【発明を実施するための形態】
【００１１】
本明細書に記載する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに用いることができる。「ネットワーク」および「システム」という用語はしばしば、入れ換えて使われる。ＣＤＭＡネットワークは、たとえばユニバーサル地上無線アクセス（ＵＴＲＡ）、ｃｄｍａ２０００などの無線技術を実装し得る。ＵＴＲＡは、広帯域ＣＤＭＡ（ＷＣＤＭＡ）および他のＣＤＭＡ変形体を含む。ｃｄｍａ２０００は、ＩＳ−２０００標準と、ＩＳ−９５標準と、ＩＳ−８５６標準とをカバーする。ＴＤＭＡネットワークは、ＧＳＭ（登録商標）（Global System for Mobile Communications）などの無線技術を実装し得る。ＯＦＤＭＡネットワークは、たとえば次世代ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサル移動通信システム（ＵＭＴＳ）の一部である。３ＧＰＰロングタームエボリューション（ＬＴＥ）およびＬＴＥアドバンスト（ＬＴＥ−Ａ）は、ダウンリンクではＯＦＤＭＡを利用するＥ−ＵＴＲＡを、およびアップリンクではＳＣ−ＦＤＭＡを用いるＵＭＴＳの新規リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の組織による文書に記載されている。ｃｄｍａ２０００およびＵＭＢは、「第３世代パートナーシッププロジェクト２」（３ＧＰＰ２）という名称の組織による文書に記載されている。本明細書に記載する技法は、上で言及したワイヤレスネットワークおよび無線技術ならびに他のワイヤレスネットワークおよび無線技術に用いることができる。
【００１２】
図１は、いくつかの基地局と他のネットワークエンティティとを含み得るワイヤレス通信ネットワーク１００を示す。基地局は、ＵＥと通信するエンティティでよく、ノードＢ、進化型ノードＢ（ｅＮＢ）、アクセスポイントなどとも呼ばれ得る。「基地局」および「ｅＮＢ」という用語は、本明細書では入れ換えて使われる。ｅＮＢは、ある特定の地理的エリアに通信カバレージを提供することができ、カバレージエリア内に置かれたＵＥのための通信をサポートすることができる。ネットワーク容量を向上させるために、ｅＮＢのカバレージエリア全体を、複数（たとえば、３つ）の小規模エリアに分割すればよい。各小規模エリアは、それぞれのｅＮＢサブシステムによってサービスされ得る。３ＧＰＰでは、「セル」という用語は、このカバレージエリアにサービスするｅＮＢおよび／またはｅＮＢサブシステムの最小カバレージエリアを指し得る。
【００１３】
ｅＮＢは、マクロセル、ピコセル、フェムトセル、および／または他のタイプのセルに通信カバレージを提供し得る。図１に示す例において、ｅＮＢ１１０ａ、１１０ｂ、１１０ｃは、それぞれ、マクロセル１０２ａ、１０２ｂ、１０２ｃ用のマクロｅＮＢでよい。ｅＮＢ１１２ａ、１１２ｂは、それぞれ、フェムトセル１０４ａ、１０４ｂ用のホームｅＮＢ（ＨｅＮＢ）でよい。ｅＮＢ１１４は、ピコセル１０６用のピコｅＮＢでよい。
【００１４】
ワイヤレスネットワーク１００は、中継器も含み得る。中継器は、アップストリームステーション（たとえば、ｅＮＢやＵＥ）からデータの送信を受信し、ダウンストリームステーション（たとえば、ＵＥやｅＮＢ）にデータの送信を送ることができるエンティティでよい。中継器は、他のＵＥ向けの送信を中継することができるＵＥでもよい。図１に示す例において、中継器１１０ｒは、ｅＮＢ１１０ａとＵＥ１２０ｒとの間の通信を容易にするために、マクロｅＮＢ１１０ａおよびＵＥ１２０ｒと通信することができる。中継器は、中継局、中継器ｅＮＢ、中継基地局などとも呼ばれ得る。
【００１５】
ＵＥ１２０は、ワイヤレスネットワーク全体に分散されてよく、各ＵＥは、ステイショナリ−でもモバイルでもよい。ＵＥは、端末、移動局、加入者ユニット、ステーションなどとも呼ばれ得る。ＵＥは、セルラーホン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）ステーション、スマートフォン、ネットブック、スマートブックなどでよい。ＵＥは、ダウンリンクおよびアップリンクを介してｅＮＢと通信することができる。ダウンリンク（または順方向リンク）は、ｅＮＢからＵＥへの通信リンクを指し、アップリンク（または逆方向リンク）は、ＵＥからｅＮＢへの通信リンクを指す。ＵＥは、他のＵＥとピアツーピア（Ｐ２Ｐ）で通信することもできる。図１に示す例において、ＵＥ１２０ａと１２０ｂは、ピアツーピアで通信することができ、たとえば、Ｐ２Ｐ通信に関与していないとき、または可能性としてはＰ２Ｐ通信と同時に、ｅＮＢと通信することも可能でよい。
【００１６】
ネットワークコントローラ１３０は、１セットのｅＮＢに結合してよく、こうしたｅＮＢを協調させ、制御する。ネットワークコントローラ１３０は、移動管理エンティティ（ＭＭＥ）、無線ネットワークコントローラ（ＲＮＣ）、基地局コントローラ（ＢＳＣ）、モバイル交換局（ＭＳＣ）などでよい。ネットワークコントローラ１３０は、迂回中継によりｅＮＢと通信することができる。ｅＮＢは、たとえば、ワイヤレスまたはワイヤライン迂回中継により、直接または間接的に、互いと通信することもできる。同期サーバ１４０は、ネットワークコントローラ１３０に結合されてよく、後で説明するように、ｅＮＢ、中継器、およびＵＥの同期をサポートすることができる。
【００１７】
ワイヤレスネットワーク１００は、同期動作も非同期動作もサポートすることができる。同期動作に対して、ｅＮＢは、類似したフレームタイミングを有してよく、相異なるｅＮＢからの送信は時間整合され得る。ｅＮＢは、たとえば米国全地球位置測位システム（ＧＰＳ）、欧州ガリレオシステム、ロシアのＧＬＯＮＡＳＳシステム、中国のＣＯＭＰＡＳＳシステム、インドの航法衛星システム（ＩＲＮＳＳ）、日本の準天頂衛星システム（ＱＺＳＳ）などのＧＮＳＳに基づいて同期を達成し得る。簡単にするために、「ＧＮＳＳ」という用語は総称的に、本明細書における記述では、どのＧＮＳＳも指す。非同期動作に対して、ｅＮＢは、異なるフレームタイミングを有してよく、相異なるｅＮＢからの送信は時間整合されなくてよい。
【００１８】
ワイヤレスネットワーク内のデバイスに対して、時間および／または周波数同期を達成することが望ましいであろう。デバイスは、ＨｅＮＢ、ピコｅＮＢ、中継器、ＵＥなどでよい。ただし、デバイスは、ＧＮＳＳ能力をもたない場合もあり、ＧＮＳＳ能力をもつがＧＮＳＳ信号を受信することはできない場合もある。したがって、デバイスは、ＧＮＳＳによる同期を達成することができない場合がある。このようなシナリオでは、デバイスは、ネットワークリスニングを用いて自己同期を実施すればよい。ネットワークリスニングのために、デバイスは、様々なマクロｅＮＢから信号を受信することができ、受信信号に基づいてデバイスの時間および／または周波数を設定すればよい。ただし、マクロｅＮＢは、（たとえば、欧州では）同期をとられなくてもよい。このようなケースでは、デバイスは、様々なマクロｅＮＢのカバレージ内にあってよく、こうしたマクロｅＮＢ向けに様々な時間基準を有し得る。様々な時間基準により、特に時分割複信（ＴＤＤ）ワイヤレスネットワークでは、セル境界で重大な干渉問題が生じ得る。その結果、非同期マクロｅＮＢのみが存在するときにＨｅＮＢの展開が妨げられ得る。
【００１９】
ある態様において、デバイス（たとえば、ＨｅＮＢ、ＵＥ、または中継器）は、マクロｅＮＢの受信時間に基づいてデバイスの送信時間を設定することができるが、マクロｅＮＢが基準時間（たとえば、ＵＴＣ時間）に対して非同期である度合いを補償するために、時間オフセットを適用してもよい。たとえば、マクロｅＮＢの受信時間が、基準時間から１０マイクロ秒（μｓ）ずれている場合、デバイスは、その送信時間を、基準時間とほぼ整合されるように１０μｓだけ進めればよい。異なるマクロｅＮＢは、異なる送信時間を有し得るので、異なる時間オフセットに関連づけられ得る。異なるデバイスは、その送信時間を、異なるマクロｅＮＢの受信時間に基づいて設定してよく、異なるマクロｅＮＢに対する異なる時間オフセットに基づいてほぼ同期され得る。こうした技法を用いて、デバイスがＧＮＳＳ能力もＧＮＳＳカバレージももたないがマクロｅＮＢから信号は受信し得るときでも、同期を達成することができる。
【００２０】
図２は、２つの非同期マクロｅＮＢに基づいてＨｅＮＢの送信時間を設定する２つのＨｅＮＢを示す。第１のマクロｅＮＢ（ｅＮＢ１）は、１つまたは複数の同期信号を備えるダウンリンク信号を、ｅＮＢ１＿ＴＸ＿Ｔｉｍｅという送信時間に送信することができる。第１のＨｅＮＢ（ＨｅＮＢ１）は、ｅＮＢ１からダウンリンク信号を、ＨｅＮＢ１＿ＲＸ＿Ｔｉｍｅという受信時間に受信することができるが、受信は、ｅＮＢ１の送信時間から、ＰＤ１という伝播遅延だけ遅れ得る。ある設計では、ＨｅＮＢ１は、ＨｅＮＢ１＿ＴＸ＿Ｔｉｍｅという送信時間を、ｅＮＢ１に対する受信時間および時間オフセットに基づいて設定することができ、たとえば、ＨｅＮＢ１＿ＴＸ＿Ｔｉｍｅ＝ＨｅＮＢ１＿ＲＸ＿Ｔｉｍｅ−Ｏｆｆｓｅｔ１となり、ここでＯｆｆｓｅｔ１は、ｅＮＢ１に対する時間オフセットである。
【００２１】
同様に、第２のマクロｅＮＢ（ｅＮＢ２）は、１つまたは複数の同期信号を備えるダウンリンク信号を、ｅＮＢ２＿ＴＸ＿Ｔｉｍｅという送信時間に送信することができる。第２のＨｅＮＢ（ＨｅＮＢ２）は、ｅＮＢ２からダウンリンク信号を、ＨｅＮＢ２＿ＲＸ＿Ｔｉｍｅという受信時間に受信することができるが、受信は、ｅＮＢ２の送信時間から、ＰＤ２という伝播遅延だけ遅れ得る。ある設計では、ＨｅＮＢ２は、ＨｅＮＢ２＿ＴＸ＿Ｔｉｍｅという送信時間を、ｅＮＢ２に対する受信時間および時間オフセットに基づいて設定することができ、たとえば、ＨｅＮＢ２＿ＴＸ＿Ｔｉｍｅ＝ＨｅＮＢ２＿ＲＸ＿Ｔｉｍｅ−Ｏｆｆｓｅｔ２となり、ここでＯｆｆｓｅｔ２は、ｅＮＢ２に対する時間オフセットである。
【００２２】
図２に示すように、ＨｅＮＢ１およびＨｅＮＢ２は、こうしたＨｅＮＢがその送信時間を非同期マクロｅＮＢに基づいて設定することができるとしても、ほぼ同期した送信時間を有し得る。各マクロｅＮＢに対する時間オフセットは、そのマクロｅＮＢが基準時間に対して非同期である度合いを補償することができる。
【００２３】
図２に示す設計では、デバイス（たとえば、ＨｅＮＢやＵＥ）の送信時間は、以下のように、マクロｅＮＢに対する受信時間および時間オフセットに基づいて設定することができる。  
【数１】
0005475128.tif 000002
【００２４】
上式で、Ｄｅｖｉｃｅ＿ＲＸ＿Ｔｉｍｅは、デバイスでの、マクロｅＮＢからの信号の受信時間であり、  
Ｏｆｆｓｅｔは、マクロｅＮＢに対する時間オフセットであり、  
Ｄｅｖｉｃｅ＿ＴＸ＿Ｔｉｍｅは、デバイスの送信時間である。
【００２５】
別の設計では、デバイスの送信時間は、以下のように、マクロｅＮＢに対する受信時間および時間オフセットならびにマクロｅＮＢとデバイスとの間の伝播遅延に基づいて設定することができる。  
【数２】
0005475128.tif 000003
【００２６】
上式で、ＰＤは、マクロｅＮＢとデバイスとの間の伝播遅延である。
【００２７】
伝播遅延は、往復遅延（ＲＴＤ）測定値、受信信号強度測定値、および／または他の測定値に基づいて推定することができる。伝播遅延は、カバレージまたはマクロｅＮＢ内の全デバイスに関して、平均または予想伝播遅延に設定してもよい。伝播遅延は、サイクリックプレフィックス長の、ある特定の割合（たとえば、２分の１）に設定してもよい。
【００２８】
概して、デバイスは、その送信時間を、１つまたは複数のマクロｅＮＢに対する１つまたは複数の時間オフセットに基づいて設定することができる。デバイスは、その送信時間を、たとえば、式（１）または（２）に示すように、単一のマクロｅＮＢに対する単一の時間オフセットに基づいて設定してもよい。デバイスは、その送信時間を、複数のマクロｅＮＢに対する複数の時間オフセットに基づいて設定してもよい。たとえば、デバイスは、各マクロｅＮＢに対するその初回送信時間を、そのマクロｅＮＢに対する受信時間および時間オフセットに基づいて決定してよく、次いで、その初回送信時間を、全マクロｅＮＢに関して平均して、デバイスに対する最終送信時間を取得すればよい。
【００２９】
ある設計では、図１の同期サーバ１４０（または他の何らかの指定ネットワークエンティティ）が、マクロｅＮＢに対する時間オフセットをデバイスに与えて、デバイスがその送信時間を設定することを可能にし得る。同期サーバ１４０は、ＵＥ、ＨｅＮＢ、ロケーション管理ユニット（ＬＭＵ）、および／またはマクロｅＮＢから信号を受信するとともにＧＮＳＳ能力をもち得る他のエンティティから、時間差情報を取得することができる。同期サーバ１４０は、時間差情報を使って、各マクロｅＮＢに対する時間オフセットを決定することができる。
【００３０】
マクロｅＮＢに対する時間オフセットは、様々なやり方で決定することができる。第１の設計では、マクロｅＮＢに対する時間オフセットは、基準時間（たとえば、ＵＴＣ時間）に基づいて決定することができる。デバイスは、マクロｅＮＢのカバレージ内にあってよく、そのＧＮＳＳ能力に基づいてＵＴＣ時間を決定することができる。デバイスは、デバイスでのマクロｅＮＢの受信時間も決定することができ、マクロｅＮＢに対する時間オフセットを、以下のように決定することができる。
【数３】
0005475128.tif 000004
【００３１】
デバイスは、マクロｅＮＢの時間オフセットおよびセル識別（ＩＤ）を同期サーバ１４０に報告してよい。同期サーバ１４０は、時間オフセットを、マクロｅＮＢのカバレージ内の他のデバイスに与えてよい。こうしたデバイスは、その送信時間を、たとえば、式（１）に示すように、マクロｅＮＢに対するデバイスの受信時間ならびにマクロｅＮＢに対する時間オフセットに基づいて設定することができる。こうしたデバイスは次いで、ほぼＵＴＣ時間に送信することができる。
【００３２】
概して、同期サーバ１４０は、１つのマクロｅＮＢに関して、１つまたは複数のデバイスから１つまたは複数の時間オフセットを受信し得る。同期サーバ１４０は、時間オフセットすべてを平均して、マクロｅＮＢに対する単一の時間オフセットを取得することができる。平均化により、（ｉ）（たとえば、より優れたＧＮＳＳカバレージを有するデバイスからの）より正確な時間オフセット、または（ｉｉ）より最近取得された時間オフセット、または（ｉｉｉ）マクロｅＮＢのカバレージエッジ近くのデバイスからの時間オフセット、または（ｉｖ）他の何らかの時間オフセットに対して、より重みが与えられ得る。マクロｅＮＢの時間オフセットは、周波数誤差によるマクロｅＮＢでのタイミングドリフトを相殺するように、周期的にアップデートすることができる。
【００３３】
第２の設計では、マクロｅＮＢに対する時間オフセットは、様々なマクロｅＮＢに関するＴＤＯＡ測定値に基づいて決定することができる。マクロｅＮＢのカバレージ内のデバイスは、異なるマクロｅＮＢの間のＴＤＯＡを測定することができる。ある設計では、所与のデバイスでの、２つのマクロｅＮＢｘとｅＮＢｙとの間のＴＤＯＡは、  
【数４】
0005475128.tif 000005
【００３４】
と表すことができ、上式で、Ｄｅｖｉｃｅ＿ＲＸ＿Ｔｉｍｅ（ｘ）は、デバイスでの、マクロｅＮＢｘに対する受信時間であり、  
Ｄｅｖｉｃｅ＿ＲＸ＿Ｔｉｍｅ（ｙ）は、デバイスでの、マクロｅＮＢｙに対する受信時間であり、  
ＴＤＯＡ（ｘ，ｙ）は、マクロｅＮＢｘおよびｅＮＢｙに関するＴＤＯＡ測定値である。
【００３５】
別の設計では、ｅＮＢｘとｅＮＢｙとの間のＴＤＯＡは、  
【数５】
0005475128.tif 000006
【００３６】
と表すことができ、上式で、ｅＮＢｘ＿Ｏｆｆｓｅｔは、マクロｅＮＢｘに対する時間オフセットであり、  
ｅＮＢｙ＿Ｏｆｆｓｅｔは、マクロｅＮＢｙに対する時間オフセットである。
【００３７】
式（５）における設計の場合、各マクロｅＮＢに対する受信時間は、そのマクロｅＮＢに対する時間オフセットだけ調節され得る。全マクロｅＮＢに対する調節受信時間は、各マクロｅＮＢに対する時間オフセットを取り除くことによって、ほぼ同期し得る。
【００３８】
異なるデバイスは、異なるマクロｅＮＢに関してＴＤＯＡ測定値を取得することができ、ＴＤＯＡ測定値を同期サーバ１４０に報告すればよい。同期サーバ１４０は、こうしたマクロｅＮＢに対する時間オフセットを、報告されたＴＤＯＡ測定値に基づいて計算することができる。第２の設計は、非同期マクロｅＮＢと通信するデバイスの同期を、どのデバイスでのＧＮＳＳ能力も必要とせずにサポートすることができる。
【００３９】
ある設計では、マクロｅＮＢに対する時間オフセットは、最小平均二乗誤差（ＭＭＳＥ）計算を使って、報告されたＴＤＯＡ測定値に基づいて決定することができる。測定値誤警報（たとえば、誤ったピークを選んだことによる、大きい測定値誤差）の影響を削減するために、入手可能な全ＴＤＯＡ測定値を使って、時間オフセットを決定すればよい。ＭＭＳＥに基づく時間オフセットの計算は、例により示すことができる。この例では、ｅＮＢ１〜ｅＮＢ５として示される５つのマクロｅＮＢが存在してよく、テーブル１の第１列に挙げる実時間オフセット（たとえば、ＵＴＣ時間と比較して）をもち得る。５つのマクロｅＮＢに関して７つのＴＤＯＡ測定値を取得することができ、簡単にするために、こうした値には誤差がないものとしてよい。７つのＴＤＯＡ測定値は、テーブル１の第２列に挙げられており、ｅＮＢ３およびｅＮＢ５に関する１つの重複ＴＤＯＡ測定値を含む。
【表１】
0005475128.tif 000007
【００４０】
ＴＤＯＡ測定値は、以下のように行列の形で表すことができる。  
【数６】
0005475128.tif 000008
【００４１】
上式で、ｘは、決定されるべき未知のものである、マクロｅＮＢに対する時間オフセットのベクトルであり、  
Ｈは、各ＴＤＯＡ測定値に対するマクロｅＮＢのペアを識別する測定インジケータ行列であり、  
ｙは、マクロｅＮＢに関するＴＤＯＡ測定値のベクトルである。
【００４２】
上述し、テーブル１に示した例に関して、測定インジケータ行列ＨおよびＴＤＯＡ測定ベクトルｙは、  
【数７】
0005475128.tif 000009
【００４３】
と表すことができる。
【００４４】
時間オフセットは、以下のように、ＭＭＳＥに基づいて決定することができる。
【数８】
0005475128.tif 000010
【００４５】
上式で、Ｉは識別行列であり、  
【数９】
0005475128.tif 000011
【００４６】
は、行列を可逆にするための、ノイズ分散（たとえば、  
【数１０】
0005475128.tif 000012
【００４７】
であり、  
ＶはＭＭＳＥ解行列であり、  
「H」は、エルミートまたは共役転置を示す。
【００４８】
テーブル１に示す例に関して、解行列Ｖおよび時間オフセットベクトルｘは、  
【数１１】
0005475128.tif 000013
【００４９】
として与えられ得る。
【００５０】
ＭＭＳＥの解は、全時間オフセットの和がゼロと等しくなるように、５つのマクロｅＮＢに対して５つの時間オフセットを与え得る。５つのマクロｅＮＢに対する実時間オフセットは、ＭＭＳＥの解によって与えられる各時間オフセットに＋１．４０の共通時間オフセットを加えることによって取得することができる。共通時間オフセットは、ＵＴＣ時間に基づいて計算された、マクロｅＮＢに対する時間オフセットにより取得され得る。
【００５１】
ある設計では、共通時間オフセットが入手できない場合、あるマクロｅＮＢに対する時間オフセットはゼロに設定してよい。上の例では、ｅＮＢ１に対する時間オフセットはゼロに設定してよく、すると、ｅＮＢ２、ｅＮＢ３、ｅＮＢ４およびｅＮＢ５に対する時間オフセットは、それぞれ、−１、１、−２、および−１に等しくなり得る。ｅＮＢ１は、２という実時間オフセットをもち、その時間オフセットは０に設定されているので、残りの全マクロｅＮＢに対する時間オフセットも、その実時間オフセットから２だけずれる。この設計では、５つのマクロｅＮＢのカバレージ内のデバイスは、時間オフセットがゼロに設定されているｅＮＢ１のタイミングを追跡すればよい。
【００５２】
各マクロｅＮＢのタイミングは、そのマクロｅＮＢの周波数誤差に基づいて決定されたレートでドリフトし得る。すると、全デバイスのタイミングは、時間オフセットがゼロに設定されているマクロｅＮＢと同様にドリフトし得る。ある設計では、異なるマクロｅＮＢに対する時間オフセットは、異なる時間間隔中にゼロに設定することができる。たとえば、ｅＮＢ１に対する時間オフセットは、第１の時間間隔中にゼロに設定することができ、次いで、ｅＮＢ２に対する時間オフセットは、第２の時間間隔中にゼロに設定することができ、次いで、ｅＮＢ３に対する時間オフセットは、第３の時間間隔中にゼロに設定することができる、などのようになる。異なるマクロｅＮＢに対する時間オフセットを、異なる時間間隔中にゼロに設定することによって、デバイスは、いずれか１つのマクロｅＮＢではなく、全マクロｅＮＢの算術平均／平均タイミングドリフトを追跡することができる。算術平均時間ドリフトは、どの１つのマクロｅＮＢの時間ドリフトよりもはるかに小さくなり得る。
【００５３】
式（８）に示すように、解行列Ｖは、１セットのマクロｅＮＢに対する時間オフセットを計算するのに使われる１セットのＴＤＯＡ測定値に対して定義され得る測定インジケータ行列Ｈに依存し得る。行列Ｈは、多数のマクロｅＮＢまたは多数のＴＤＯＡ測定値に対しては大きくなり得る。行列Ｖの計算複雑性は、行列Ｈのサイズに依存し得る。計算複雑性を低下させるためには、ワイヤレスネットワーク内のマクロｅＮＢを、クラスタに分割すればよい。各クラスタは、どのマクロｅＮＢから他のどのマクロｅＮＢにも、ＴＤＯＡ測定「エッジ」を通るパスがあるように完全に接続され得る１セットのマクロｅＮＢに対応し得る。各クラスタごとに、そのクラスタ中のマクロｅＮＢに対して行列Ｈおよびベクトルｙを定義することができ、ベクトルｘをクラスタに関して別個に計算して、クラスタ中のマクロｅＮＢに対する時間オフセットを（共通時間オフセットとともに）取得することができる。
【００５４】
次いで、各クラスタをノードとして扱うことによって、時間オフセット計算を繰り返せばよい。クラスタは、グループに分割することができ、各グループは、１セットのクラスタに対応し得る。各グループのために、行列Ｈおよびベクトルｙをグループ中のクラスタに対して定義することができ、ベクトルｙは、クラスタ間のＴＤＯＡ測定値を含む。各ＴＤＯＡ測定値は、クラスタ内共通時間オフセットを取り除くように修正することができる。たとえば、ｅＮＢｘとｅＮＢｙのペアに関するＴＤＯＡ測定値は、
【数１２】
0005475128.tif 000014
【００５５】
として与えることができ、上式で、ＲＸ＿Ｔｉｍｅ（ｘ）およびＲＸ＿Ｔｉｍｅ（ｙ）は、ある特定のデバイスでの、ｅＮＢｘおよびｅＮＢｙに対する受信時間である。ｅＮＢｘはクラスタ１に属してよく、ｅＮＢｙはクラスタ２に属してよい。
【００５６】
クラスタ１とクラスタ２との間の時間オフセットは、以下のように計算することができる。
【数１３】
0005475128.tif 000015
【００５７】
上式で、ｅＮＢｘ＿ＯｆｆｓｅｔおよびｅＮＢｙ＿Ｏｆｆｓｅｔは、それぞれ、クラスタ１、２に対する時間オフセット計算によって与えられる、ｅＮＢｘおよびｅＮＢｙに対する時間オフセットでよい。
【００５８】
クラスタ１、２中のマクロｅＮＢに関するＴＤＯＡ測定値は次いで、Ｏｆｆｓｅｔ（１，２）だけ調節すればよい。他のクラスタペアに対するオフセットも、同様に計算し、こうしたクラスタ中のマクロｅＮＢに対するＴＤＯＡ測定値を調節するのに使うことができる。次いで、ベクトルｘを各グループに関して別個に計算して、グループ中のクラスタに対する時間オフセットを（共通時間オフセットとともに）取得することができる。時間オフセット計算が完了した後、グループ中の全クラスタに対する算術平均時間オフセットを、各マクロｅＮＢに対する時間オフセットから差し引いて、算術平均時間ドリフトに続くことができる。
【００５９】
２つのレベルをもつ階層構造に対する時間オフセット計算について、上に記載した。概して、ワイヤレスネットワーク内のマクロｅＮＢは、任意の数のレベルをもつ階層状に分割することができる。各レベルでのクラスタまたはグループのサイズは、ＭＭＳＥ解の質が損なわれないように、十分大きいべきである。
【００６０】
マクロｅＮＢに対する時間オフセットは、上述したように、ＭＭＳＥに基づいて決定することができる。マクロｅＮＢに対する時間オフセットは、最小二乗法または他の何らかの技法に基づいて決定することもできる。
【００６１】
別の設計では、マクロｅＮＢに対する時間オフセットは、連結グラフに基づいて決定することができる。このグラフは、（ｉ）マクロｅＮＢに対応するノードと、（ｉｉ）ノードを連結し、ＴＤＯＡ測定値に対応するエッジとを含み得る。グラフに対して初期マクロｅＮＢを選択することができ、このｅＮＢに対する時間オフセットはゼロに設定してよく、たとえば、ｅＮＢ１＿Ｏｆｆｓｅｔ＝０となる。グラフは次いで、ＴＤＯＡ「エッジ」を追加することによって構築され得る。ある設計では、グラフ中の既存ノードを孤立ノードに連結するエッジは、新規エッジを付け加えるとき、既に連結されているノードに対する時間オフセットを調節する必要なく選択することができる。別の設計では、どのエッジを選択してもよく、既に連結されているノードに対する時間オフセットを、選択エッジに合わせて調節すればよい。両方の設計において、ループが作成される予定がない場合は、２つのノードを連結する新規エッジを追加することができる。ループが作成される予定がある場合、新規エッジは、新規エッジが連結している２つのノードの時間オフセットを修正するための何らかの手順で、破棄しても、追加してもよい。このプロセスは、全エッジが検討されるまで繰り返してよい。このプロセスは、反復して（たとえば、異なる初期マクロｅＮＢから始めて、または異なる順序でエッジを検討することによって、など）実施することができる。いずれのケースでも、プロセスを完了した後、グラフ中の全ノードに対する算術平均時間オフセットを決定し、各ノードに対する時間オフセットから差し引けばよい。すると、この結果、デバイスは、グラフ中の全ノードに関する算術平均時間ドリフトに続く。
【００６２】
デバイスは、絶対時間ではなく周期的時間に基づいて、様々なマクロｅＮＢに関するＴＤＯＡ測定値を取得することができる。たとえば、各マクロｅＮＢは、Ｑミリ秒（ｍｓ）ごとに同期信号を送信することができる。デバイスは、そのマクロｅＮＢによって送信された同期信号に基づいて、各マクロｅＮＢに対する受信時間を測定することができる。デバイスは次いで、Ｑを法とする様々なマクロｅＮＢに関するＴＤＯＡ測定値を取得することができるが、その結果、ＴＤＯＡ測定値に基づいて導出された時間オフセットに誤差が生じる。たとえば、ｅＮＢ１、ｅＮＢ２およびｅＮＢ３として示される３つのマクロｅＮＢが存在してよく、それぞれ、０、２、４の実時間オフセットをもち得る。３つのＴＤＯＡ測定値が、取得され、ＴＤＯＡ（２，１）＝２、ＴＤＯＡ（３，２）＝２、およびＴＤＯＡ（１，３）＝１を含み得る。ＴＤＯＡ（１，３）は−４のはずだが、周期的時間により１と測定される。こうした３つのマクロｅＮＢに対する時間オフセットは、報告されたＴＤＯＡ測定値に基づいて、−０．３３、０．００、および＋０．３３として計算することができるが、正しい時間オフセットは、−１．９３、０．００、および＋１．９３であるべきである。
【００６３】
モジュロＱのＴＤＯＡ測定値による潜在誤差は、報告されたＴＤＯＡ測定がＱ／２に近い場合、報告されたＴＤＯＡ測定およびそのモジュロＱバージョン両方を使うことによって解決することができる。具体的には、報告されたＴＤＯＡ測定値がＴの場合、時間オフセットは、この報告ＴＤＯＡ測定値に対するＴおよび−（Ｑ−Ｔ）という２つの仮定に関して計算することができる。周期性Ｑは、マクロｅＮＢのシステムフレーム番号（ＳＦＮ）を読み取ることによって増大され得る。
【００６４】
ある設計では、デバイスは、マクロｅＮＢに対する受信時間を測定し、またはデバイスによって選択されたどの時間にも、異なるマクロｅＮＢに対するＴＤＯＡ測定を行うことができる。デバイスは、デバイスによって選択されたどの時間にも、時間オフセットまたはＴＤＯＡ測定値を同期サーバ１４０に報告することができる。別の設計では、デバイスは、ある特定のマクロｅＮＢに対する受信時間を同時に測定することもでき、様々なマクロｅＮＢに対するＴＤＯＡ測定を同時に行うこともできる。全デバイスが同時にブランクになって（または送信しなくて）よい調整無音方式（coordinated silence scheme）を用いて、基地局をモニタすることができ、この方式は次いで、あるデバイスの送信が別のデバイスの受信と干渉するのを防止し得る。
【００６５】
式（３）に示すように、マクロｅＮＢに対する時間オフセットは、デバイスでの、マクロｅＮＢに対する受信時間に基づいて決定することができる。式（４）に示すように、マクロｅＮＢのペアに関するＴＤＯＡは、デバイスでの、こうしたマクロｅＮＢに対する受信時間に基づいて測定することができる。デバイスでの、マクロｅＮＢに対する受信時間は、図２に示すように、マクロｅＮＢの送信時間ならびにマクロｅＮＢとデバイスとの間の伝播遅延に依存し得る。式（３）で計算される時間オフセットと式（４）で計算されるＴＤＯＡ測定値の両方が、デバイスと各マクロｅＮＢとの間の伝播遅延に影響され得る。
【００６６】
ある設計では、伝播遅延は、ＵＴＣ時間からの最大可能時間オフセット（上述した第１の設計の場合）または最小絶対ＴＤＯＡ（第２の設計の場合）を使うことによって補償することができる。というのは、この２つは、セルエッジデバイスに対応する可能性があり得るからである。第１の設計の場合、１セットのデバイスが、所与のマクロｅＮＢに対する１セットの時間オフセットを報告し得る。１セットの時間オフセットの中の最大時間オフセットは、カバレージエッジ近くに置かれたデバイスからの時間オフセットに対応し得る。この最大時間オフセットは、使うために選択してもよく、平均化においてより大きい重みを与えられてもよい。第２の設計の場合、１セットのデバイスが、マクロｅＮＢのペアに関する１セットのＴＤＯＡ測定値を報告し得る。１セットのＴＤＯＡ測定値の中の最小ＴＤＯＡ測定値は、カバレージエッジ近くに置かれたデバイスからのＴＤＯＡ測定値に対応し得る。この最小ＴＤＯＡ測定値は、マクロｅＮＢに対する時間オフセットを計算するのに使うために選択してもよく、平均化においてより大きい重みを与えられてもよい。
【００６７】
ある設計では、所与のデバイスＸが、マクロｅＮＢに対する時間オフセットを同期サーバ１４０から取得することができ、デバイスの送信時間を、上述したように、マクロｅＮＢに対するデバイスの受信時間および時間オフセットに基づいて設定することができる。ある設計では、他のデバイスが、マルチホップ方式を使って、別のデバイス（たとえば、デバイスＸ）に対する他のデバイスの受信時間に基づいて、他のデバイスの送信時間を設定することができる。デバイスＸおよび他のデバイスは次いで、ほぼ同じ時間に送信することができる。たとえば、２つのＨｅＮＢが、マクロｅＮＢのカバレージ内にあり得る。第１のＨｅＮＢは、その送信時間を、マクロｅＮＢに対するその受信時間およびマクロｅＮＢに対する時間オフセットに基づいて設定することができる。第２のＨｅＮＢは、その送信時間を、第１のＨｅＮＢに対する受信時間に基づいて設定することができる。第１および第２のＨｅＮＢのカバレージ内のＵＥは、その送信時間を、それぞれ、第１および第２のＨｅＮＢに対するその受信時間に基づいて設定することができる。ＨｅＮＢおよびそのＵＥは次いで、同期され得る。
【００６８】
別の態様では、デバイスは、無線フレーム整列を実施することができ、同期サーバ１４０または他の何らかのエンティティによって与えられ得る無線フレームオフセットに基づいて、マクロｅＮＢの無線フレーム境界を決定することができる。デバイスは、ＧＮＳＳ、もしくはＩＥＥＥ１５８８ｖ２、または他の何らかの技法から、ＵＴＣ時間を取得することも可能であり得る。ただし、デバイスは、マクロｅＮＢの無線フレーム境界が分からない場合がある。同期サーバ１４０が、ある特定のＵＴＣ時間（たとえば、１９８０年１月６日００：００）に対する無線フレームオフセットを与えることができる。デバイスは、ＵＴＣ時間のデバイス推定値と無線フレームオフセットとを使って、マクロｅＮＢの無線フレーム境界を決定することができる。無線フレーム整列は、同じ周波数チャネル上で送られるダウンリンク送信とアップリンク送信との間の干渉を避けるために、ＴＤＤワイヤレスネットワークでは特に重要であり得る。デバイスは、同期サーバ１４０からのＳＦＮ情報に基づいて、使うべきＳＦＮを決定することもできる。
【００６９】
概して、マクロｅＮＢと同期されたデバイスは、マクロｅＮＢと同じ無線技術も、異なる無線技術も使用することができる。たとえば、デバイス（たとえば、ＨｅＮＢ）は、マクロｅＮＢによって使われる同じ無線技術（たとえば、ＬＴＥ）を使って、別のデバイス（たとえば、ＵＥ）と通信することができる。あるいは、デバイス（たとえば、ＨｅＮＢ）は、ある無線技術（たとえば、ＬＴＥ）を使って、マクロｅＮＢから信号を受信することができ、別の無線技術（たとえば、Ｗｉ−Ｆｉ）を使って、別のデバイス（たとえば、ＵＥ）と通信することができる。
【００７０】
本明細書に記載する技法は、上述したように、時間同期に用いることができる。時間同期のために、デバイスは、その送信時間を、マクロｅＮＢに対する時間オフセットに基づいて設定すればよい。本技法は、たとえば、異なるマクロｅＮＢが異なる周波数をもつ場合は、周波数同期に用いることもできる。周波数同期のために、デバイスは、そのキャリア周波数を、同期サーバ１４０によって与えられ得る、マクロｅＮＢに対するキャリア周波数および周波数オフセットに基づいて設定すればよい。マクロｅＮＢのキャリア周波数が異なるときでも、異なるデバイスのキャリア周波数がほぼ整合されるように、異なるマクロｅＮＢに対して異なる周波数オフセットが決定されてよい。
【００７１】
本明細書に記載する技法は、デバイス（たとえば、ＨｅＮＢ、ＵＥ、中継器など）が、非同期式であり得るマクロｅＮＢによる同期を達成することを可能にし得る。マクロｅＮＢは、通常のやり方で動作することができ、同期を達成するのに、デバイスの動作に影響されることはない。デバイスは、同期サーバ１４０（または、指定されたネットワークエンティティ）と通信して、時間オフセットを取得することができる。時間オフセットは、マクロｅＮＢによってフォワードされ得る信号メッセージを介して送ることができる。本技法は、既存の第２世代（２Ｇ）および第３世代（３Ｇ）ワイヤレスネットワークならびに新規第４世代（４Ｇ）ワイヤレスネットワークに応用可能であり得る。
【００７２】
同期サーバ１４０は、デバイスから時間差情報（たとえば、時間オフセットおよび／またはＴＤＯＡ測定値）を受信することができ、マクロｅＮＢに対する時間オフセットを決定することができる。ある設計では、同期サーバ１４０は、ＭＭＥ、ＨｅＮＢ管理サーバ（ＨＭＳ）、運用、管理および保守（ＯＡＭ）サーバ、ロケーションサーバ、または他の何らかのネットワークエンティティなど、既存のネットワークエンティティの一部でよい。別の設計では、同期サーバ１４０は、デバイスの同期をサポートし得る別個のネットワークエンティティでよい。ある設計では、単一の同期サーバが、全地理的エリアにサービスし得る。別の設計では、複数の同期サーバが、相異なる地理的エリアにサービスすることができ、サーバのカバレージの境界での時間オフセットを計算するためのメッセージを交換することができる。
【００７３】
図３は、送信時間を決定するプロセス３００の設計を示す。プロセス３００は、ＨｅＮＢ、ＵＥ、中継器、または他の何らかのエンティティでよいデバイスによって実施することができる。デバイスは、ワイヤレスネットワーク内の少なくとも１つの他のマクロ基地局とは非同期なマクロ基地局でよい基地局に対する受信時間を決定することができる（ブロック３１２）。デバイスは、基地局に対する時間オフセットを、たとえば、ネットワークエンティティから取得することができる（ブロック３１４）。ある設計では、時間オフセットは、基準時間、たとえば、ＵＴＣ時間に基づいて決定することができる。別の設計では、時間オフセットは、複数の基地局に関するＴＤＯＡ測定値に基づいて決定することができる。
【００７４】
デバイスは、その送信時間を、たとえば、式（１）に示すように、基地局に対する受信時間および時間オフセットに基づいて設定すればよい（ブロック３１６）。デバイスは、基地局とデバイスとの間の伝播遅延も決定することができ、デバイス送信時間を、たとえば、式（２）に示すように、伝播遅延にさらに基づいて設定すればよい。
【００７５】
ある設計では、デバイスは、その送信時間に基づいて信号を送信してよい（ブロック３１８）。信号は、第２の基地局に対する第２の時間オフセットに基づいて設定される送信時間をもち得る第２のデバイスによって送信される第２の信号と同期し得る。基地局と第２の基地局は、非同期でよい。ある設計では、基地局に対する時間オフセットはゼロでよく、第２の基地局に対する第２の時間オフセットは非ゼロでよい。デバイスと第２のデバイスの両方が、基地局と同期され得る。別の設計では、基地局に対する時間オフセットおよび第２の基地局に対する第２の時間オフセットは、基準時間に基づいて決定され得る。デバイスと第２のデバイスの両方が、基準時間と同期され得る。ある設計では、別のデバイスが、デバイスによって送信される信号に基づいて、デバイスと同期され得る。
【００７６】
ある設計では、デバイスは、無線フレーム整列を実施することができ、ＵＴＣ時間決定することができる。デバイスは次いで、ＵＴＣ時間および基地局に対する時間オフセットに基づいて、基地局の無線フレーム境界を決定することができる。
【００７７】
ある設計では、デバイスは、周波数同期を実施することができる。デバイスは、デバイスでの、基地局のキャリア周波数を決定することができる。デバイスは、基地局に対する周波数オフセットを（たとえば、ネットワークエンティティから）取得することができ、デバイスのキャリア周波数を、基地局のキャリア周波数および基地局に対する周波数オフセットに基づいて設定することができる。
【００７８】
図４は、送信時間を決定する装置４００の設計を示す。装置４００は、デバイスでの、基地局に対する受信時間を決定するためのモジュール４１２と、デバイスによって、基地局に対する時間オフセットを取得するためのモジュール４１４と、基地局に対する受信時間および時間オフセットに基づいてデバイスの送信時間を設定するためのモジュール４１６と、デバイスの送信時間に基づいて信号を送信するためのモジュール４１８とを含む。
【００７９】
図５は、同期をサポートするプロセス５００の設計を示す。プロセス５００は、ＨｅＮＢ、ＵＥ、中継器、または他の何らかのエンティティでよいデバイスによって実施することができる。デバイスは、少なくとも１つの基地局に関する時間差情報を決定することができる（ブロック５１２）。デバイスは、時間差情報を、少なくとも１つの基地局に対する少なくとも１つの時間オフセットを決定するのに使うために、ネットワークエンティティ（たとえば、同期サーバ）に送ることができる（ブロック５１４）。
【００８０】
図６は、時間差情報を決定するプロセス６００の設計を示す。プロセス６００は、図５のブロック５１２の一設計であり得る。デバイスは、デバイスでの、基地局に対する受信時間を決定することができる（ブロック６１２）。デバイスは、たとえば、式（３）に示すように、基地局に対する受信時間および基準時間に基づいて、基地局に対する時間オフセットを決定することができる（ブロック６１４）。基準時間は、ＧＰＳなどのＧＮＳＳから取得され得るＵＴＣ時間に基づき得る。デバイスは、基地局とデバイスとの間の伝播遅延も決定することができ、伝播遅延にさらに基づいて、基地局に対する時間オフセットを決定することができる。図５のブロック５１２における時間差情報は、基地局に対する時間オフセットを備え得る。
【００８１】
図７は、時間差情報を決定するプロセス７００の設計を示す。プロセス７００は、図５のブロック５１２の別の設計であり得る。デバイスは、デバイスでの、第１の基地局に対する第１の受信時間を決定することができ（ブロック７１２）、デバイスでの、第２の基地局に対する第２の受信時間も決定することができる（ブロック７１４）。デバイスは、たとえば、式（４）に示すように、第１および第２の基地局に対する第１および第２の受信時間に基づいて、第１および第２の基地局に関するＴＤＯＡ測定値を決定することができる（ブロック７１６）。デバイスは、第１の基地局に対する第１の時間オフセットと第２の基地局に対する第２の時間オフセットとを取得することもできる。デバイスは次いで、たとえば、式（５）に示すように、第１および第２の時間オフセットにさらに基づいて、第１および第２の基地局に関するＴＤＯＡ測定値を決定することができる。図５のブロック５１２における時間差情報は、ＴＤＯＡ測定値を備え得る。
【００８２】
ある設計では、デバイスは、周波数同期もサポートし得る。デバイスは、少なくとも１つの基地局に関する周波数差情報を決定することができ、周波数差情報を、少なくとも１つの基地局に対する少なくとも１つの周波数オフセットを決定するのに使うために、ネットワークエンティティに送ることができる。ある設計では、周波数差情報は、基地局に対する周波数オフセットを備え得る。デバイスは、デバイスでの基地局のキャリア周波数を決定することができ、基地局のキャリア周波数および基準周波数に基づいて、基地局に対する周波数オフセットを決定することができる。基準周波数は、ＧＮＳＳまたは他の何らかの基準ソースからのものでよい。
【００８３】
ある設計では、デバイスは、第１の無線技術に基づいて、少なくとも１つの基地局（たとえば、少なくとも１つのマクロｅＮＢ）によって送信される少なくとも１つの信号を受信し得る。デバイスは、少なくとも１つの受信信号に基づいて、少なくとも１つの基地局に関する時間差情報を決定することができる。ある設計では、デバイス（たとえば、ＨｅＮＢ）は、第１の無線技術に基づいて、別のデバイス（たとえば、ＵＥ）と通信することができる。別の設計では、デバイスは、第１の無線技術とは異なる第２の無線技術に基づいて、別のデバイスと通信することができる。時間差情報を決定するのに使われる無線技術はしたがって、デバイスによって通信に使われる無線技術と同じでも、異なってもよい。
【００８４】
図８は、同期をサポートする装置８００の設計を示す。装置８００は、デバイスによって少なくとも１つの基地局に関する時間差情報（たとえば、時間オフセットやＴＤＯＡ測定値）を決定するためのモジュール８１２と、時間差情報を、少なくとも１つの基地局に対する少なくとも１つの時間オフセットを決定するのに使うために、ネットワークエンティティに送るためのモジュール８１４とを含む。
【００８５】
図９は、同期をサポートするプロセス９００の設計を示す。プロセス９００は、同期サーバでも、ＭＭＥでも、ＨＭＳでも、ＯＡＭサーバでも、ロケーションサーバでも、または他の何らかのエンティティでもよいネットワークエンティティによって実施することができる。ネットワークエンティティは、非同期式であり得る、少なくとも１つの基地局に関する時間差情報を受信し得る（ブロック９１２）。ネットワークエンティティは、少なくとも１つの基地局に関する時間差情報に基づいて、少なくとも１つの基地局に対する少なくとも１つの時間オフセットを決定することができる（ブロック９１４）。ネットワークエンティティは、少なくとも１つの基地局に対する少なくとも１つの時間オフセットを、少なくとも１つのデバイスの送信時間を設定するのに使うために、少なくとも１つのデバイスに与えることができる（ブロック９１６）。
【００８６】
ある設計では、時間差情報は、少なくとも１つの基地局に対する少なくとも１つの時間オフセットを備えてよく、１つまたは複数のデバイスから受信され得る。ネットワークエンティティは、デバイスから受信された、基地局からの時間オフセットを、基地局と同期しているか、または通信している他のデバイスに与えてよい。ネットワークエンティティは、基地局に対する複数の時間オフセットを、たとえば、様々なデバイスから受信することができる。ネットワークエンティティは、複数の時間オフセットを平均して、基地局に対する時間オフセットを取得することができる。ネットワークエンティティは、基地局に対する時間オフセットとして、複数の時間オフセットから最大時間オフセットを選択してもよい。
【００８７】
別の設計では、時間差情報は、複数の基地局に関するＴＤＯＡ測定値を備え得る。ネットワークエンティティは、複数の基地局に関するＴＤＯＡ測定値に基づいて、複数の基地局に対する複数の時間オフセットを、たとえば、ＭＭＳＥ計算を用いて決定することができる。ある設計では、ネットワークエンティティは、複数の基地局の１つに対する時間オフセットをゼロに設定すればよい。デバイスは次いで、この１つの基地局のタイミングに同期され得る。別の設計では、ネットワークエンティティは、異なる基地局に対する時間オフセットを、異なる時間間隔中にゼロに設定すればよい。ある設計では、ネットワークエンティティは、所与の基地局ペアに関する複数のＴＤＯＡ測定値を受信することができ、こうした複数のＴＤＯＡ測定値の中の最小ＴＤＯＡ測定値を使って、基地局に対する時間オフセットを決定することができる。
【００８８】
ある設計では、ネットワークエンティティは、周波数同期をサポートし得る。ネットワークエンティティは、少なくとも１つの基地局に関する周波数差情報を受信することができ、少なくとも１つの基地局に関する周波数差情報に基づいて、少なくとも１つの基地局に対する少なくとも１つの周波数オフセットを決定することができる。ネットワークエンティティは、少なくとも１つの基地局に対する少なくとも１つの周波数オフセットを、各デバイスのキャリア周波数を設定するのに使うために、デバイスに与えることができる。
【００８９】
図１０は、同期をサポートする装置１０００の設計を示す。装置１０００は、少なくとも１つの基地局に関する時間差情報を受信するためのモジュール１０１２と、少なくとも１つの基地局に関する時間差情報に基づいて、少なくとも１つの基地局に対する少なくとも１つの時間オフセットを決定するためのモジュール１０１４と、少なくとも１つの基地局に対する少なくとも１つの時間オフセットを、少なくとも１つのデバイスの送信時間を設定するのに使うために、少なくとも１つのデバイスに与えるためのモジュール１０１６とを含む。
【００９０】
図４、８、１０のモジュールは、プロセッサ、電子デバイス、ハードウェアデバイス、電子部品、論理回路、メモリ、ソフトウェアコード、ファームウェアコードなど、またはそのどの組合せも備え得る。
【００９１】
図１１は、マクロ基地局／ｅＮＢ１１０およびデバイス１１８の設計のブロック図を示す。デバイス１１８は、ＨｅＮＢ、ＵＥ、中継器、または他の何らかのエンティティでよい。基地局１１０は、Ｔ個のアンテナ１１３４ａ〜１１３４ｔを装備してよく、デバイス１１８は、Ｒ個のアンテナ１１５２ａ〜１１５２ｒを装備してよく、概してＴ≧１かつＲ≧１である。
【００９２】
基地局１１０で、送信プロセッサ１１２０が、データソース１１１２からデータを、およびコントローラ／プロセッサ１１４０から制御情報（たとえば、時間オフセットを搬送するメッセージ）を受信し得る。プロセッサ１１２０は、データと制御情報とを処理し（たとえば、エンコードし、変調し）て、それぞれ、データシンボルと制御シンボルとを取得することができる。プロセッサ１１２０は、同期信号、基準信号などに対する基準シンボルを生成することもできる。送信（ＴＸ）多重入出力（ＭＩＭＯ）プロセッサ１１３０は、データシンボル、制御シンボル、および／または基準シンボルに対して、適用可能な場合は空間処理（たとえば、プリコーディング）を実施することができ、Ｔ個の出力シンボルストリームをＴ個の変調器（ＭＯＤ）１１３２ａ〜１１３２ｔに与えることができる。各変調器１１３２は、それぞれの出力シンボルストリーム（たとえば、ＯＦＤＭ用など）を処理して、出力サンプルストリームを取得することができる。各変調器１１３２は、出力サンプルストリームをさらに処理し（たとえば、アナログにコンバートし、増幅し、フィルタリングし、アップコンバートし）て、ダウンリンク信号を取得することができる。変調器１１３２ａ〜１１３２ｔからのＴ個のダウンリンク信号は、それぞれ、Ｔ個のアンテナ１１３４ａ〜１１３４ｔを介して送信され得る。
【００９３】
デバイス１１８で、アンテナ１１５２ａ〜１１５２ｒは、基地局１１０および他の基地局からダウンリンク信号を受信することができ、それぞれ、受信信号を復調器（ＤＥＭＯＤ）１１５４ａ〜１１５４ｒに与えることができる。各復調器１１５４は、それぞれの受信信号を調整し（たとえば、フィルタリングし、増幅し、ダウンコンバートし、デジタル化し）て、入力サンプルを取得することができる。各復調器１１５４は、入力サンプル（たとえば、ＯＦＤＭ用など）をさらに処理して、受信シンボルを取得することができる。ＭＩＭＯ検出器１１５６は、Ｒ個すべての復調器１１５４ａ〜１１５４ｒから受信シンボルを取得し、適用可能な場合は受信シンボルに対してＭＩＭＯ検出を実施し、検出シンボルを与えることができる。受信プロセッサ１１５８は、検出シンボルを処理し（たとえば、復調し、復号し）、デバイス１１８に対する復号データをデータシンク１１６０に与え、復号制御情報をコントローラ／プロセッサ１１８０に与えることができる。
【００９４】
アップリンクでは、デバイス１１８において、送信プロセッサ１１６４が、データソース１１６２からデータを、およびコントローラ／プロセッサ１１８０から制御情報（たとえば、時間差情報）を受信し得る。プロセッサ１１６４は、データと制御情報とを処理し（たとえば、エンコードし、変調し）て、それぞれ、データシンボルと制御シンボルとを取得することができる。プロセッサ１１６４は、基準信号に対する基準シンボルを生成することもできる。送信プロセッサ１１６４からのシンボルは、適用可能な場合はＴＸ  ＭＩＭＯプロセッサ１１６６によってプリコードされ、変調器１１５４ａ〜１１５４ｒ（たとえば、ＳＣ−ＦＤＭ、ＯＦＤＭ用など）によってさらに処理され、基地局１１０、および可能性としては他の基地局に送信され得る。基地局１１０で、デバイス１１８および他のデバイスからのアップリンク信号は、アンテナ１１３４によって受信され、復調器１１３２によって処理され、適用可能な場合はＭＩＭＯ検出器１１３６によって検出され、受信プロセッサ１１３８によってさらに処理されて、デバイス１１８および他のデバイスによって送られた復号データと制御情報とを取得することができる。プロセッサ１１３８は、復号データをデータシンク１１３９に、復号制御情報をコントローラ／プロセッサ１１４０に与えればよい。
【００９５】
コントローラ／プロセッサ１１４０、１１８０は、それぞれ、基地局１１０およびデバイス１１８での動作を指令することができる。デバイス１１８でのプロセッサ１１８０および／または他のプロセッサならびにモジュールは、図３のプロセス３００、図５のプロセス５００、図６のプロセス６００、図７のプロセス７００、および／または本明細書に記載する技法のための他のプロセスを実施することも指令することもできる。メモリ１１４２、１１８２は、それぞれ、基地局１１０およびデバイス１１８用のデータとプログラムコードとを格納することができる。通信（Ｃｏｍｍ）ユニット１１４４は、基地局１１０が他のネットワークエンティティと通信することを可能にし得る。スケジューラ１１４６は、ダウンリンクおよび／またはアップリンクでのデータ送信のためにデバイスをスケジュールすることができる。
【００９６】
デバイス１１８は、ＧＮＳＳ能力を有してよく、衛星１５２からの信号の測定を行うことができる。こうした測定の値は、処理されて、ＵＴＣ時間、デバイス１１８に関するロケーション推定値などを取得することができる。あるいは、デバイス１１８は、ＧＮＳＳ能力をもたなくてもよい。
【００９７】
図１１は、図１の同期サーバ１４０の設計も示す。同期サーバ１４０において、コントローラ／プロセッサ１１９０は、デバイスの同期をサポートするための様々な機能を実施し得る。メモリ１１９２は、同期サーバ１４０用のプログラムコードとデータとを格納し得る。記憶ユニット１１９４は、デバイスから受信された時間差情報、基地局に対する時間オフセット、および／またはデバイスの同期に関係する他の情報を格納し得る。通信ユニット１１９６は、同期サーバ１４０が、他のネットワークエンティティと通信することを可能にし得る。コントローラ／プロセッサ１１９０は、デバイスから時間差情報を受信し、基地局に対する時間オフセットを決定し、時間オフセットを要求側デバイスに与え得る。コントローラ／プロセッサ１１９０は、図９のプロセス９００および／または本明細書に記載する技法のための他のプロセスを実施することもできる。
【００９８】
情報および信号は、異なる様々な技術および技法のどれを用いても表され得ることが当業者には理解されよう。たとえば、上記説明を通して参照され得るデータ、命令、コマンド、情報、信号、ビット、シンボルおよびチップは、電圧、電流、電磁波、磁場もしくは磁気粒子、光場もしくは光学粒子、またはそのどの組合せでも表すことができる。
【００９９】
本明細書における開示に関連して記載した様々な例示的論理ブロック、モジュール、回路、およびアルゴリズムのステップは、電子ハードウェア、コンピュータソフトウェア、または両方の組合せとして実装され得ることが当業者には理解されよう。ハードウェアとソフトウェアのこの入換えを明白に示すために、様々な例示的コンポーネント、ブロック、モジュール、回路、およびステップについては、概してその機能性によって上述した。このような機能性が、ハードウェアとして、それともソフトウェアとして実装されるかは、具体的な適用分野およびシステム全体に課される設計制約に依存する。当業者は、記載した機能性を、具体的な各適用分野に対して、様々なやり方で実装してよいが、このような実装の決定は、本開示の範囲からの逸脱を引き起こすものと解釈されるべきでない。
【０１００】
本明細書における開示に関連して記載した様々な例示的論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラム可能論理素子、離散ゲートもしくはトランジスタ論理、離散ハードウェアコンポーネント、または本明細書に記載した機能を実施するように設計されたその任意の組合せで実装され、または実施され得る。汎用プロセッサはマイクロプロセッサでよいが、代替形態では、プロセッサは、従来のどのプロセッサ、コントローラ、マイクロコントローラ、または状態マシンでもよい。プロセッサは、コンピューティングデバイスの組合せ、たとえば、ＤＳＰおよびマイクロプロセッサ、複数のマイクロプロセッサ、ＤＳＰコアを併用する１つもしくは複数のマイクロプロセッサ、または他のこのような任意の構成の組合せとしても実装され得る。
【０１０１】
本明細書における開示に関連して記載した方法またはアルゴリズムのステップは、直接ハードウェアとして、プロセッサによって実行されるソフトウェアモジュールとして、またはこの２つの組合せとしても実施することができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当該分野において公知である他のどの形の記憶媒体の中にも存在し得る。例示的な記憶媒体は、プロセッサが記憶媒体から情報を読むとともに情報を書き込めるように、プロセッサに結合される。代替形態では、記憶媒体は、プロセッサに統合され得る。プロセッサおよび記憶媒体は、ＡＳＩＣに存在し得る。ＡＳＩＣは、ユーザ端末に存在し得る。代替態様では、プロセッサおよび記憶媒体は、離散コンポーネントとしてユーザ端末に存在し得る。
【０１０２】
１つまたは複数の例示的設計では、記載した機能は、ハードウェア、ソフトウェア、ファームウェア、またはその組合せで実装され得る。ソフトウェアで実装される場合、機能は、コンピュータ可読媒体に１つまたは複数の命令またはコードとして格納され、またはコードを介して送信され得る。コンピュータ可読媒体は、ある場所から別の場所へのコンピュータプログラムの転送を容易にするどの媒体も含むコンピュータ記憶媒体と通信媒体の両方を含む。記憶媒体は、汎用または特殊目的コンピュータによってアクセスされ得る市販されているどの媒体でもよい。限定ではなく例として、このようなコンピュータ可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコード手段を命令もしくはデータ構造の形で搬送し、もしくは格納するのに使われ、汎用もしくは特殊目的コンピュータまたは汎用もしくは特殊目的プロセッサによってアクセスされ得る他のどの媒体も備え得る。また、どの接続も、正しくはコンピュータ可読媒体と呼ばれる。たとえば、ソフトウェアが、同軸ケーブル、光ファイバケーブル、ツイストペア、デジタル加入者線（ＤＳＬ）、または赤外線、ラジオ、およびマイクロ波などの無線技術を使ってウェブサイト、サーバ、または他のリモートソースから送信される場合、同軸ケーブル、光ファイバケーブル、ツイストペア、ＤＳＬ、または赤外線、ラジオ、およびマイクロ波などの無線技術は、媒体の定義に含まれる。本明細書で使用するディスク（ｄｉｓｋ）およびディスク（ｄｉｓｃ）は、コンパクトディスク（ＣＤ）、レーザディスク、光ディスク、デジタル多用途ディスク（ＤＶＤ）、フロッピー（登録商標）ディスク、およびブルーレイディスクを含むが、ディスク（ｄｉｓｋ）は通常はデータを磁気的に再現し、ディスク（ｄｉｓｃ）は、データをレーザで光学的に再現する。上記の組合せも、コンピュータ可読媒体の範囲内に含まれるべきである。
【０１０３】
本開示の前述の説明は、どの当業者も、本開示を実行し、または利用することを可能にするために与えられている。本開示に対する様々な修正が、当業者には容易に明らかであり、本明細書で定義される一般原理は、本開示の精神または範囲から逸脱することなく、他の変形形態に適用することができる。したがって、本開示は、本明細書に記載した例および設計に限定されることを意図しているのではなく、本明細書で開示した原理および新規特徴に一致する最も広い範囲を与えられるべきである。
以下に、本願出願の当初の特許請求の範囲に記載された発明を付記する。
［Ｃ１］  デバイスでの、基地局に対する受信時間を決定することと、
前記デバイスによって、前記基地局に対する時間オフセットを取得することと、
前記基地局に対する前記受信時間および前記時間オフセットに基づいて、前記デバイスの送信時間を設定することと
を備える、ワイヤレス通信のための方法。
［Ｃ２］  前記時間オフセットを前記取得することは、ネットワークエンティティから前記時間オフセットを受信することを備える、
Ｃ１に記載の方法。
［Ｃ３］  前記時間オフセットは、基準時間に基づいて決定される、Ｃ１に記載の方法。
［Ｃ４］  前記時間オフセットは、複数の基地局に対する到達時間差（ＴＤＯＡ）測定値に基づいて決定される、
Ｃ１に記載の方法。
［Ｃ５］  前記基地局と前記デバイスとの間の伝播遅延を決定することをさらに備え、前記デバイスの前記送信時間は、前記伝播遅延にさらに基づいて設定される、
Ｃ１に記載の方法。
［Ｃ６］  前記デバイスの前記送信時間に基づいて信号を送信することをさらに備え、前記信号は、第２の基地局に対する第２の時間オフセットに基づいて設定された送信時間をもつ第２のデバイスによって送信される第２の信号と同期し、前記基地局と前記第２の基地局は、非同期である、
Ｃ１に記載の方法。
［Ｃ７］  前記基地局に対する前記時間オフセットは、ゼロであり、前記第２の基地局に対する前記第２の時間オフセットは、非ゼロであり、前記デバイスおよび前記第２のデバイスは、前記基地局に同期される、
Ｃ６に記載の方法。
［Ｃ８］  前記基地局に対する前記時間オフセットおよび前記第２の基地局に対する前記第２の時間オフセットは、基準時間に基づいて決定され、前記デバイスおよび前記第２のデバイスは、前記基準時間に同期される、
Ｃ６に記載の方法。
［Ｃ９］  前記デバイスの前記送信時間に基づいて信号を送信することをさらに備え、第２のデバイスは、前記デバイスによって送信される前記信号に基づいて、前記デバイスに同期される、
Ｃ１に記載の方法。
［Ｃ１０］  前記デバイスによって協定世界時（ＵＴＣ）時間を決定することと、
前記ＵＴＣ時間および前記基地局に対する前記時間オフセットに基づいて、前記基地局の無線フレーム境界を決定することと
をさらに備える、Ｃ１に記載の方法。
［Ｃ１１］  前記デバイスでの、前記基地局のキャリア周波数を決定することと、
前記デバイスによって、前記基地局に対する周波数オフセットを取得することと、
前記基地局の前記キャリア周波数および前記基地局に対する前記周波数オフセットに基づいて、前記デバイスのキャリア周波数を設定することと
をさらに備える、Ｃ１に記載の方法。
［Ｃ１２］  前記基地局は、マクロ基地局であり、前記デバイスは、ホーム基地局、またはユーザ機器（ＵＥ）、または中継器である、
Ｃ１に記載の方法。
［Ｃ１３］  デバイスでの、基地局に対する受信時間を決定するための手段と、
前記デバイスによって、前記基地局に対する時間オフセットを取得するための手段と、  前記基地局に対する前記受信時間および前記時間オフセットに基づいて、前記デバイスの送信時間を設定するための手段と
を備える、ワイヤレス通信のための装置。
［Ｃ１４］  前記基地局と前記デバイスとの間の伝播遅延を決定するための手段をさらに備え、前記デバイスの前記送信時間は、前記伝播遅延にさらに基づいて設定される、
Ｃ１３に記載の装置。
［Ｃ１５］  前記デバイスの前記送信時間に基づいて、信号を送信するための手段をさらに備え、前記信号は、第２の基地局に対する第２の時間オフセットに基づいて設定された送信時間をもつ第２のデバイスによって送信される第２の信号と同期し、前記基地局と前記第２の基地局は、非同期である、
Ｃ１３に記載の装置。
［Ｃ１６］  前記デバイスの前記送信時間に基づいて、信号を送信するための手段をさらに備え、第２のデバイスは、前記デバイスによって送信される前記信号に基づいて、前記デバイスに同期される、
Ｃ１３に記載の装置。
［Ｃ１７］  デバイスでの、基地局に対する受信時間を決定し、前記デバイスによって、前記基地局に対する時間オフセットを取得し、前記基地局に対する前記受信時間および前記時間オフセットに基づいて前記デバイスの送信時間を設定するように構成された少なくとも１つのプロセッサを備える、
ワイヤレス通信のための装置。
［Ｃ１８］  前記少なくとも１つのプロセッサは、前記基地局と前記デバイスとの間の伝播遅延を決定し、前記伝播遅延にさらに基づいて、前記デバイスの前記送信時間を設定するように構成される、
Ｃ１３に記載の装置。
［Ｃ１９］  前記少なくとも１つのプロセッサは、前記デバイスの前記送信時間に基づいて信号を送信するように構成され、前記信号が、第２の基地局に対する第２の時間オフセットに基づいて設定された送信時間をもつ第２のデバイスによって送信される第２の信号と同期し、前記基地局と前記第２の基地局が非同期である、
Ｃ１３に記載の装置。
［Ｃ２０］  前記少なくとも１つのプロセッサは、前記デバイスの前記送信時間に基づいて信号を送信するように構成され、第２のデバイスは、前記デバイスによって送信される前記信号に基づいて、前記デバイスに同期される、
Ｃ１３に記載の装置。
［Ｃ２１］  少なくとも１つのコンピュータに、デバイスでの、基地局に対する受信時間を決定させるコードと、
前記少なくとも１つのコンピュータに、前記デバイスによって、前記基地局に対する時間オフセットを取得させるコードと、
前記少なくとも１つのコンピュータに、前記基地局に対する前記受信時間および前記時間オフセットに基づいて前記デバイスの送信時間を設定させるコードと
を備える非一時的コンピュータ可読媒体を備える、
コンピュータプログラム製品。
［Ｃ２２］  デバイスによって、少なくとも１つの基地局に関する時間差情報を決定することと、  前記少なくとも１つの基地局に対する少なくとも１つの時間オフセットを決定するのに使うために、前記時間差情報をネットワークエンティティに送ることと
を備える、ワイヤレス通信のための方法。
［Ｃ２３］  前記少なくとも１つの基地局に関する前記時間差情報を前記決定することは、
前記デバイスでの、基地局に対する受信時間を決定することと、
前記基地局に対する前記受信時間および基準時間に基づいて、前記基地局に対する時間オフセットを決定することと
を備え、前記時間差情報は、前記基地局に対する前記時間オフセットを備える、
Ｃ２２に記載の方法。
［Ｃ２４］  前記基準時間は、協定世界時（ＵＴＣ）に基づく、
Ｃ２３に記載の方法。
［Ｃ２５］  前記基準時間は、全地球航法衛星システム（ＧＮＳＳ）に基づく、
Ｃ２３に記載の方法。
［Ｃ２６］  前記基地局と前記デバイスとの間の伝播遅延を決定することをさらに備え、前記基地局に対する前記時間オフセットは、前記伝播遅延にさらに基づいて決定される、
Ｃ２３に記載の方法。
［Ｃ２７］  前記少なくとも１つの基地局に関する前記時間差情報を前記決定することは、
前記デバイスでの、第１の基地局に対する第１の受信時間を決定することと、
前記デバイスでの、第２の基地局に対する第２の受信時間を決定することと、
前記第１の基地局に対する前記第１の受信時間および前記第２の基地局に対する前記第２の受信時間に基づいて、前記第１および第２の基地局に関する到達時間差（ＴＤＯＡ）測定値を決定することと
を備え、前記時間差情報は、前記ＴＤＯＡ測定値を備える、
Ｃ２２に記載の方法。
［Ｃ２８］  前記少なくとも１つの基地局に関する前記時間差情報を前記決定することは、
前記第１の基地局に対する第１の時間オフセットを取得することと、
前記第２の基地局に対する第２の時間オフセットを取得することと、
前記第１および第２の時間オフセットにさらに基づいて、前記第１および第２の基地局に関する前記ＴＤＯＡ測定値を決定することと
をさらに備える、Ｃ２７に記載の方法。
［Ｃ２９］  前記デバイスによって、前記少なくとも１つの基地局に関する周波数差情報を決定することと、
前記周波数差情報を、前記少なくとも１つの基地局に対する少なくとも１つの周波数オフセットを決定するのに使うために、前記ネットワークエンティティに送ることと
をさらに備える、Ｃ２２に記載の方法。
［Ｃ３０］  前記少なくとも１つの基地局に関する前記周波数差情報を前記決定することは、
前記デバイスでの、基地局のキャリア周波数を決定することと、
前記基地局の前記キャリア周波数および基準周波数に基づいて、前記基地局に対する周波数オフセットを決定することと
を備え、前記周波数差情報は、前記基地局に対する前記周波数オフセットを備える、Ｃ２９に記載の方法。
［Ｃ３１］  前記少なくとも１つの基地局によって送信される少なくとも１つの信号を、第１の無線技術に基づいて受信することと、ここにおいて、前記少なくとも１つの基地局に関する前記時間差情報は、前記少なくとも１つの受信信号に基づいて決定される、
前記第１の無線技術とは異なる第２の無線技術に基づいて、第２のデバイスと通信することと
をさらに備える、Ｃ２２に記載の方法。
［Ｃ３２］  前記少なくとも１つの基地局それぞれは、マクロ基地局であり、前記デバイスは、ホーム基地局、またはユーザ機器（ＵＥ）、または中継器である、
Ｃ２２に記載の方法。
［Ｃ３３］  デバイスによって、少なくとも１つの基地局に関する時間差情報を決定するための手段と、
前記時間差情報を、前記少なくとも１つの基地局に対する少なくとも１つの時間オフセットを決定するのに使うために、ネットワークエンティティに送るための手段と
を備える、ワイヤレス通信のための装置。
［Ｃ３４］  前記少なくとも１つの基地局に関する前記時間差情報を決定するための前記手段は、  前記デバイスでの、基地局に対する受信時間を決定するための手段と、
前記基地局に対する前記受信時間および基準時間に基づいて、前記基地局に対する時間オフセットを決定するための手段と
を備え、前記時間差情報は、前記基地局に対する前記時間オフセットを備える、
Ｃ３３に記載の装置。
［Ｃ３５］  前記少なくとも１つの基地局に関する前記時間差情報を決定するための前記手段は、  前記デバイスでの、第１の基地局に対する第１の受信時間を決定するための手段と、  前記デバイスでの、第２の基地局に対する第２の受信時間を決定するための手段と、  前記第１の基地局に対する前記第１の受信時間および前記第２の基地局に対する前記第２の受信時間に基づいて、前記第１および第２の基地局に関する到達時間差（ＴＤＯＡ）測定値を決定するための手段と
を備え、前記時間差情報は、前記ＴＤＯＡ測定値を備える、
Ｃ３３に記載の装置。
［Ｃ３６］  前記少なくとも１つの基地局に関する前記時間差情報を決定するための前記手段は、  前記第１の基地局に対する第１の時間オフセットを取得するための手段と、
前記第２の基地局に対する第２の時間オフセットを取得するための手段と、
前記第１および第２の時間オフセットにさらに基づいて、前記第１および第２の基地局に関する前記ＴＤＯＡ測定値を決定するための手段と
をさらに備える、Ｃ３５に記載の装置。
［Ｃ３７］  前記少なくとも１つの基地局によって送信される少なくとも１つの信号を、第１の無線技術に基づいて受信するための手段と、ここにおいて、前記少なくとも１つの基地局に関する前記時間差情報は、前記少なくとも１つの受信信号に基づいて決定される、
前記第１の無線技術とは異なる第２の無線技術に基づいて、第２のデバイスと通信するための手段と
をさらに備える、Ｃ３３に記載の装置。
［Ｃ３８］  デバイスによって、少なくとも１つの基地局に関する時間差情報を決定し、前記時間差情報を、前記少なくとも１つの基地局に対する少なくとも１つの時間オフセットを決定するのに使うために、ネットワークエンティティに送るように構成された少なくとも１つのプロセッサを備える、ワイヤレス通信のための装置。
［Ｃ３９］  少なくとも１つのコンピュータに、デバイスによって、少なくとも１つの基地局に関する時間差情報を決定させるコードと、
前記少なくとも１つのコンピュータに、前記少なくとも１つの基地局に対する少なくとも１つの時間オフセットを決定するのに使うために、前記時間差情報をネットワークエンティティに送らせるコードと
を備える非一時的コンピュータ可読媒体を備える、
コンピュータプログラム製品。
［Ｃ４０］  ネットワークエンティティによって、少なくとも１つの基地局に関する時間差情報を受信することと、
前記少なくとも１つの基地局に関する前記時間差情報に基づいて、前記少なくとも１つの基地局に対する少なくとも１つの時間オフセットを決定することと、
前記少なくとも１つの基地局に対する前記少なくとも１つの時間オフセットを、少なくとも１つのデバイスの送信時間を設定するのに使うために、前記少なくとも１つのデバイスに与えることと
を備える、ワイヤレス通信のための方法。
［Ｃ４１］  前記時間差情報は、前記少なくとも１つの基地局に対する前記少なくとも１つの時間オフセットを備え、１つまたは複数のデバイスから受信される、
Ｃ４０に記載の方法。
［Ｃ４２］  前記少なくとも１つの基地局に関する前記時間差情報を前記受信することは、基地局に対する複数の時間オフセットを受信することを備え、前記少なくとも１つの基地局に対する前記少なくとも１つの時間オフセットを前記決定することは、前記複数の時間オフセットの中の最大時間オフセットを、前記基地局に対する時間オフセットとして選択することを備える、
Ｃ４０に記載の方法。
［Ｃ４３］  前記少なくとも１つの基地局に関する前記時間差情報が、複数の基地局に関する到達時間差（ＴＤＯＡ）測定値を備える、Ｃ４０に記載の方法。
［Ｃ４４］  前記少なくとも１つの基地局に対する前記少なくとも１つの時間オフセットを前記決定することは、前記複数の基地局に関する前記ＴＤＯＡ測定値に基づいて、前記複数の基地局に対する複数の時間オフセットを決定することを備える、
Ｃ４３に記載の方法。
［Ｃ４５］  前記複数の時間オフセットを前記決定することが、最小平均二乗誤差（ＭＭＳＥ）計算に基づいて、前記複数の時間オフセットを決定することを備える、Ｃ４４に記載の方法。
［Ｃ４６］  前記複数の時間オフセットを前記決定することは、前記複数の基地局の１つに対する時間オフセットをゼロに設定することを備える、
Ｃ４４に記載の方法。
［Ｃ４７］  前記複数の時間オフセットを前記決定することは、前記複数の基地局のうち、異なる基地局に対する時間オフセットを、異なる時間間隔中にゼロに設定することを備える、
Ｃ４４に記載の方法。
［Ｃ４８］  前記少なくとも１つの基地局に関する前記時間差情報を前記受信することは、基地局のペアに関する複数の到達時間差（ＴＤＯＡ）測定値を受信することを備え、前記少なくとも１つの基地局に対する前記少なくとも１つの時間オフセットを前記決定することは、前記基地局ペアに関する前記複数のＴＤＯＡ測定値の中の最小ＴＤＯＡ測定に基づいて、前記少なくとも１つの時間オフセットを決定することを備える、
Ｃ４０に記載の方法。
［Ｃ４９］  前記ネットワークエンティティによって、前記少なくとも１つの基地局に関する周波数差情報を受信することと、
前記少なくとも１つの基地局に関する前記周波数差情報に基づいて、前記少なくとも１つの基地局に対する少なくとも１つの周波数オフセットを決定することと、
１つまたは複数のデバイスのキャリア周波数を設定するのに使うために、前記少なくとも１つの基地局に対する前記少なくとも１つの周波数オフセットを前記１つまたは複数のデバイスに与えることと
をさらに備える、Ｃ４０に記載の方法。
［Ｃ５０］  前記ネットワークエンティティは、移動管理エンティティ（ＭＭＥ）、またはＨｅＮＢ管理サーバ（ＨＭＳ）、または運用、管理および保守（ＯＡＭ）サーバ、またはロケーションサーバである、
Ｃ４０に記載の方法。
［Ｃ５１］  ネットワークエンティティによって、少なくとも１つの基地局に関する時間差情報を受信するための手段と、
前記少なくとも１つの基地局に関する前記時間差情報に基づいて、前記少なくとも１つの基地局に対する少なくとも１つの時間オフセットを決定するための手段と、
前記少なくとも１つの基地局に対する前記少なくとも１つの時間オフセットを、少なくとも１つのデバイスの送信時間を設定するのに使うために、前記少なくとも１つのデバイスに与えるための手段と
を備える、ワイヤレス通信のための装置。
［Ｃ５２］  前記時間差情報は、前記少なくとも１つの基地局に対する前記少なくとも１つの時間オフセットを備え、１つまたは複数のデバイスから受信される、
Ｃ５１に記載の装置。
［Ｃ５３］  前記少なくとも１つの基地局に関する前記時間差情報は、複数の基地局に関する到達時間差（ＴＤＯＡ）測定値を備え、前記少なくとも１つの基地局に対する前記少なくとも１つの時間オフセットを決定するための前記手段は、前記複数の基地局に関する前記ＴＤＯＡ測定値に基づいて、前記複数の基地局に対する複数の時間オフセットを決定するための手段を備える、
Ｃ５１に記載の装置。
［Ｃ５４］  ネットワークエンティティによって、少なくとも１つの基地局に関する時間差情報を受信し、前記少なくとも１つの基地局に関する前記時間差情報に基づいて、前記少なくとも１つの基地局に対する少なくとも１つの時間オフセットを決定し、少なくとも１つのデバイスの送信時間を設定するのに使うために、前記少なくとも１つの基地局に対する前記少なくとも１つの時間オフセットを前記少なくとも１つのデバイスに与えるように構成された少なくとも１つのプロセッサを備える、
ワイヤレス通信のための装置。
［Ｃ５５］  少なくとも１つのコンピュータに、ネットワークエンティティによって、少なくとも１つの基地局に関する時間差情報を受信させるコードと、
前記少なくとも１つのコンピュータに、前記少なくとも１つの基地局に関する前記時間差情報に基づいて、前記少なくとも１つの基地局に対する少なくとも１つの時間オフセットを決定させるコードと、
前記少なくとも１つのコンピュータに、前記少なくとも１つの基地局に対する前記少なくとも１つの時間オフセットを、少なくとも１つのデバイスの送信時間を設定するのに使うために、前記少なくとも１つのデバイスに与えさせるコードと
を備える非一時的コンピュータ可読媒体を備える、
コンピュータプログラム製品。
【図１】
0005475128.tif 000016
【図２】
0005475128.tif 000017
【図３】
0005475128.tif 000018
【図４】
0005475128.tif 000019
【図５】
0005475128.tif 000020
【図６】
0005475128.tif 000021
【図７】
0005475128.tif 000022
【図８】
0005475128.tif 000023
【図９】
0005475128.tif 000024
【図１０】
0005475128.tif 000025
【図１１】
0005475128.tif 000026